(57)【要約】【課題】カバレッジ変更に伴う異周波数セル選択に要する時間を短縮し、異周波数セル間の負荷分散を直ちに実現可能な測定タイミング調整方法を提供する。【解決手段】第１、第２の周波数をキャリアとしてそれぞれ用いる第１、第２のセルを有するスモールセル基地局１と、第１、第２のセルの少なくとも一方のセルで通信する移動局２とから構成される無線通信システムに適用する測定タイミング調整方法である。スモールセル基地局１は、第１のセルの無線パラメータを変更する無線パラメータ制御部１３と、第２のセルによって通信する移動局２において測定された第１のセルの受信品質を取得する測定制御部１２と、第１のセルの受信品質に基づいて、第１のセルを接続先セルとして選択するセル選択部１４と、無線パラメータを変更するタイミングに関連付けて、第１のセルの受信品質を測定する測定タイミングを調整するタイミング調整部１１と、を備える。【選択図】        図２
2016063243.tif 000002
【特許請求の範囲】
【請求項１】
第１の周波数をキャリアとして用いる少なくとも１つの第１のセルと、前記第１の周波数とは異なる第２の周波数をキャリアとして用いる少なくとも１つの第２のセルと、基地局装置と、前記第１のセルと前記第２のセルとの少なくとも一方のセルによって通信する移動局とを含む無線通信システムにおいてセル選択のための測定タイミングを調整する測定タイミング調整方法であって、
前記第１のセルの無線パラメータを変更する無線パラメータ制御ステップと、
前記第２のセルによって接続中の前記移動局をセル再選択の対象とする対象移動局とし、該対象移動局において測定された前記第１のセルの受信品質を取得する受信品質取得ステップと、
前記受信品質取得ステップにおいて取得した前記第１のセルの前記受信品質に基づいて、前記第１のセルを接続先セルとして選択するセル選択ステップと、
前記無線パラメータ制御ステップにおける前記無線パラメータを変更するタイミングに関連付けて、前記第１のセルの前記受信品質を測定する測定タイミングを調整し、調整した該測定タイミングを前記対象移動局に通知するタイミング調整ステップと、
を有することを特徴とする測定タイミング調整方法。
【請求項２】
前記無線パラメータ制御ステップにおいて変更する前記第１のセルの前記無線パラメータとして、
前記第１のセルにおける下り回線参照信号を含む制御信号の送信ビームの指向性を制御するカバレッジ制御用パラメータ、または
前記第１のセルを形成する際の送信電力、アンテナチルト角の少なくとも一方を制御するカバレッジ制御用パラメータ
が含まれていることを特徴とする請求項１に記載の測定タイミング調整方法。
【請求項３】
前記受信品質取得ステップにおいて取得される前記第１のセルの前記受信品質が、下り回線参照信号の受信電力、または前記下り回線参照信号の受信品質のいずれかであることを特徴とする請求項１または２に記載の測定タイミング調整方法。
【請求項４】
前記セル選択ステップは、前記受信品質取得ステップにおいて取得される前記第１のセルの前記受信品質があらかじめ定めた第１の品質閾値以上であるという条件を満たす場合に、前記第１のセルを接続先セルとして選択することを特徴とする請求項１ないし３のいずれかに記載の測定タイミング調整方法。
【請求項５】
前記タイミング調整ステップは、前記無線パラメータ制御ステップにおいて、前記無線パラメータを変更することを決定したタイミング、または、前記無線パラメータ制御ステップにおいて前記無線パラメータの変更を実施したタイミング、のいずれかをトリガとして、前記測定タイミングを調整し、調整した前記測定タイミングを、前記対象移動局に対して通知することを特徴とする請求項１ないし４のいずれかに記載の測定タイミング調整方法。
【請求項６】
前記第１のセルの前記受信品質を測定する前記対象移動局は、前記第２のセルによって接続中の前記移動局のうち、前記無線パラメータ制御ステップにおける前記無線パラメータの変更により前記第２のセルから前記第１のセルへ接続先セルが変更される可能性がある前記移動局であることを特徴とする請求項１ないし５のいずれかに記載の測定タイミング調整方法。
【請求項７】
前記第１のセルおよび前記第２のセルにおける前記移動局の分布を推定する移動局分布推定ステップと、
前記移動局の通信状態を測定する通信状態測定ステップと、
前記移動局分布推定ステップにおいて推定された前記移動局の分布と前記通信状態測定ステップにおいて測定された前記移動局の通信状態とに基づいて、前記無線パラメータの変更により前記第２のセルから前記第１のセルへ接続先セルが変更される可能性があるか否かを判定し、該当する前記移動局を前記対象移動局として選択する対象移動局選択ステップと
をさらに有している請求項６に記載の測定タイミング調整方法。
【請求項８】
第１の周波数をキャリアとして用いる少なくとも１つの第１のセルと、前記第１の周波数とは異なる第２の周波数をキャリアとして用いる少なくとも１つの第２のセルと、基地局装置と、前記第１のセルと前記第２のセルとの少なくとも一方のセルによって通信する移動局とを含む無線通信システムであって、
前記第１のセルの無線パラメータを変更する無線パラメータ制御手段と、
前記第２のセルによって接続中の前記移動局をセル再選択の対象とする対象移動局とし、該対象移動局において測定された前記第１のセルの受信品質を取得する受信品質取得手段と、
前記受信品質取得手段において取得した前記第１のセルの前記受信品質に基づいて、前記第１のセルを接続先セルとして選択するセル選択手段と、
前記無線パラメータ制御手段における前記無線パラメータを変更するタイミングに関連付けて、前記第１のセルの前記受信品質を測定する測定タイミングを調整し、調整した該測定タイミングを前記対象移動局に通知するタイミング調整手段と、
を有することを特徴とする無線通信システム。
【請求項９】
第１の周波数をキャリアとして用いる少なくとも１つの第１のセルと、前記第１の周波数とは異なる第２の周波数をキャリアとして用いる少なくとも１つの第２のセルと、前記第１のセルと前記第２のセルとの少なくとも一方のセルによって通信する移動局とを含む無線通信システムにおける基地局装置であって、
前記第１のセルの無線パラメータを変更する無線パラメータ制御手段と、
前記第２のセルによって接続中の前記移動局をセル再選択の対象とする対象移動局とし、該対象移動局において測定された前記第１のセルの受信品質を取得する受信品質取得手段と、
前記受信品質取得手段において取得した前記第１のセルの前記受信品質に基づいて、前記第１のセルを接続先セルとして選択するセル選択手段と、
前記無線パラメータ制御手段における前記無線パラメータを変更するタイミングに関連付けて、前記第１のセルの前記受信品質を測定する測定タイミングを調整し、調整した該測定タイミングを前記対象移動局に通知するタイミング調整手段と
を有することを特徴とする基地局装置。
【請求項１０】
第１の周波数をキャリアとして用いる少なくとも１つの第１のセルと、前記第１の周波数とは異なる第２の周波数をキャリアとして用いる少なくとも１つの第２のセルと、基地局装置と、前記第１のセルと前記第２のセルとの少なくとも一方のセルによって通信する移動局とを含む無線通信システムにおいて前記基地局装置に実装されたコンピュータの制御プログラムとして実行される基地局制御プログラムであって、
前記第１のセルの無線パラメータを変更する無線パラメータ制御処理と、
前記第２のセルによって接続中の前記移動局をセル再選択の対象とする対象移動局とし、該対象移動局において測定された前記第１のセルの受信品質を取得する受信品質取得処理と、
前記受信品質取得処理において取得した前記第１のセルの前記受信品質に基づいて、前記第１のセルを接続先セルとして選択するセル選択処理と、
前記無線パラメータ制御処理における前記無線パラメータを変更するタイミングに関連付けて、前記第１のセルの前記受信品質を測定する測定タイミングを調整し、調整した該測定タイミングを前記対象移動局に通知するタイミング調整処理と、
を有することを特徴とする基地局制御プログラム。
【発明の詳細な説明】
【技術分野】
【０００１】
本発明は、測定タイミング調整方法、無線通信システム、基地局装置および基地局制御プログラムに関し、特に、複数の周波数を備え、各周波数に対応するセルを備える基地局において、カバレッジ変更に伴う受信品質の変化を考慮して、接続先のセルを選択するための品質測定タイミングの調整を行う測定タイミング調整方法、無線通信システム、基地局装置および基地局制御プログラムに関する。
【背景技術】
【０００２】
近年、スマートフォンやタブレット端末の普及や、動画等の多量のデータの送受信により、モバイル通信のデータトラヒックが著しく増加している。トラヒック増大への対策の一つとして、高送信電力で広い範囲をカバーする基地局（以下「マクロ基地局」と称する）に加えて、低送信電力で狭い範囲をカバーする小型基地局（以下「スモールセル基地局」と称する）を局所的に多数設置し、通信容量を増大させる基地局設置方式が有力視されている。ここで、スモールセル基地局には、ユーザが密集するホットスポットに設置されるピコ基地局や、無線品質が劣悪な屋内に設置されるフェムトセル基地局等がある。なお、基地局の通信エリアはセルと呼ばれる。
【０００３】
スモールセル基地局を設置する際には、場所や法律などの制限により、ホットスポットが発生するような適切な場所に設置することや、所望の局数になるまで多数設置することが困難な場合がある。このような制限がある中で、通信容量を高めるためには、スモールセル基地局は、周波数帯域が異なる複数の周波数を備え、少ないスモールセル基地局数で複数のセルを形成する方法が有力である。複数周波数を備えることによって、周波数が比較的低い帯域（例えば２ＧＨｚ以下の帯域）で広い通信エリアを確保し、周波数が比較的高い帯域（例えば３．５ＧＨｚ以上の帯域）で特定エリアの通信容量を飛躍的に高めることができる。また、複数のセル間でトラヒック負荷を分散することができる。
【０００４】
移動局は、複数のセルの中から、特定のセルを選択して接続する。無線通信システムとしてＬＴＥ（Long  Term  Evolution）方式を適用する場合、セル選択の方法として以下の２例が挙げられる。１つ目は、セルの下り回線参照信号の受信電力（ＲＳＲＰ：Reference  Signal  Received  Power)または受信品質（ＲＳＲＱ：Reference  Signal  Received  Quality）が最大になるセルに接続先セルを切り替えるハンドオーバであり、２つ目は、複数のセルに同時に接続し、広帯域通信を可能とするキャリアアグリゲーションである。
【０００５】
キャリアアグリゲーションの場合は、制御用のＲＲＣ(Radio  Resource  Control)コネクションを最初に張ったセルをプライマリセル、データ用のコネクションを付加的に張ったセルをセカンダリセルと称する。プライマリセルは受信電力（ＲＳＲＰ）や受信品質（ＲＳＲＱ）などの受信品質が最大となるセルに対応し、セカンダリセルは、プライマリセル以外で受信品質があらかじめ定めた所定レベル以上となるセルに対応する。
【０００６】
移動局は、複数の異なる周波数の受信品質を測定することができる。接続中のセルの周波数とは異なる周波数の受信品質を測定するために、異周波数を測定することができる特定の時間（Measurement  Gap）が周期的に設定されている。該特定の測定時間（Measurement  Gap）中は、接続中の当該セルにおいてデータ送受信ができないために、該特定の測定時間（Measurement  Gap）の頻度は抑制される。また、異周波数の受信品質測定に要する消費電力を削減するためにも、該特定の測定時間（Measurement  Gap）の頻度は抑制される。
【０００７】
しかし、キャリアアグリゲーションが可能な移動局においては、接続可能なセルを複数検出することができるため、特定の測定時間（Measurement  Gap）を用いることなく、複数の周波数の受信品質を測定することができる。
【０００８】
基地局が複数の周波数セルを備える場合の受信品質の測定管理の一例として、特許文献１の特開２０１３−１３１３９号公報「移動局装置、移動局装置の管理方法、移動局装置の処理部、通信システム及び基地局装置」に開示されている技術が提案されている。該特許文献１に記載の技術は、キャリアアグリゲーションを行う場合、測定情報を効率的に管理するために、プライマリセルで利用される周波数が第一の周波数から第二の周波数に変更される場合に、前記第一の周波数に対応する測定対象識別子にリンクされた測定識別子を、前記第二の周波数に対応する測定対象識別子にリンクさせるものである。これにより、異なる周波数セルであっても、測定のための特定の測定時間（Measurement  Gap）などの設定を同一にすることができる。
【先行技術文献】
【特許文献】
【０００９】
【特許文献１】特開２０１３−１３１３９号公報（第２８−３２頁）
【発明の概要】
【発明が解決しようとする課題】
【００１０】
スモールセル基地局が周波数の異なる複数セルを備える場合、周波数毎に、所定の通信品質を満たすセルの境界線であるカバレッジが異なる。したがって、場所に応じて移動局の選択可能なセルの数が異なることによって、特定セルへのトラヒック負荷の偏りが発生する。場所によらずに、移動局が選択することが可能なセル数を公平にし、トラヒック負荷の偏りを是正するために、或るセルのカバレッジを変更することがある。
【００１１】
しかしながら、カバレッジの変更と、前述の特定の測定時間（Measurement  Gap）などに基づく異周波数セルの測定とは、一般的には、独立に実施される。そのため、異周波数セルの測定タイミングが、カバレッジ変更のタイミングと合わない場合には、当該セルに新規に収容されるユーザ（移動局）については、異周波数セルの測定と選択とに時間を要する場合が生じるため、負荷分散を直ちに実現することができない。
【００１２】
また、前記特許文献１に記載の技術を適用しようとしても、該特許文献１に記載の技術においてはセル間のカバレッジ差やカバレッジ変更に備えた異周波数測定の設定変更を考慮していないので、異周波数間セル選択に時間を要する点を改善することができない。
【００１３】
（本発明の目的）
本発明は、前述した知見に基づいてなされたものであって、本発明の目的は、カバレッジ変更に伴う異周波数セル選択に要する時間を短縮し、異周波数セル間の負荷分散を直ちに実現することができる測定タイミング調整方法、無線通信システム、基地局装置および基地局制御プログラムを提供することにある。
【課題を解決するための手段】
【００１４】
前述の課題を解決するため、本発明による測定タイミング調整方法、無線通信システム、基地局装置および基地局制御プログラムは、主に、次のような特徴的な構成を採用している。
【００１５】
（１）本発明による測定タイミング調整方法は、第１の周波数をキャリアとして用いる少なくとも１つの第１のセルと、前記第１の周波数とは異なる第２の周波数をキャリアとして用いる少なくとも１つの第２のセルと、基地局装置と、前記第１のセルと前記第２のセルとの少なくとも一方のセルによって通信する移動局とを含む無線通信システムにおいてセル再選択のための測定タイミングを調整する測定タイミング調整方法であって、
前記第１のセルの無線パラメータを変更する無線パラメータ制御ステップと、前記第２のセルによって接続中の前記移動局をセル選択の対象とする対象移動局とし、該対象移動局において測定された前記第１のセルの受信品質を取得する受信品質取得ステップと、前記受信品質取得ステップにおいて取得した前記第１のセルの前記受信品質に基づいて、前記第１のセルを接続先セルとして選択するセル選択ステップと、前記無線パラメータ制御ステップにおける前記無線パラメータを変更するタイミングに関連付けて、前記第１のセルの前記受信品質を測定する測定タイミングを調整し、調整した該測定タイミングを前記対象移動局に通知するタイミング調整ステップと、を有することを特徴とする。
【００１６】
（２）本発明による無線通信システムは、第１の周波数をキャリアとして用いる少なくとも１つの第１のセルと、前記第１の周波数とは異なる第２の周波数をキャリアとして用いる少なくとも１つの第２のセルと、基地局装置と、前記第１のセルと前記第２のセルとの少なくとも一方のセルによって通信する移動局とを含む無線通信システムであって、
前記第１のセルの無線パラメータを変更する無線パラメータ制御手段と、前記第２のセルによって接続中の前記移動局をセル再選択の対象とする対象移動局とし、該対象移動局において測定された前記第１のセルの受信品質を取得する受信品質取得手段と、前記受信品質取得手段において取得した前記第１のセルの前記受信品質に基づいて、前記第１のセルを接続先セルとして選択するセル選択手段と、前記無線パラメータ制御手段における前記無線パラメータを変更するタイミングに関連付けて、前記第１のセルの前記受信品質を測定する測定タイミングを調整し、調整した該測定タイミングを前記対象移動局に通知するタイミング調整手段と、を有することを特徴とする。
【００１７】
（３）本発明による基地局装置は、第１の周波数をキャリアとして用いる少なくとも１つの第１のセルと、前記第１の周波数とは異なる第２の周波数をキャリアとして用いる少なくとも１つの第２のセルと、前記第１のセルと前記第２のセルとの少なくとも一方のセルによって通信する移動局とを含む無線通信システムにおける基地局装置であって、
前記第１のセルの無線パラメータを変更する無線パラメータ制御手段と、前記第２のセルによって接続中の前記移動局をセル再選択の対象とする対象移動局とし、該対象移動局において測定された前記第１のセルの受信品質を取得する受信品質取得手段と、前記受信品質取得手段において取得した前記第１のセルの前記受信品質に基づいて、前記第１のセルを接続先セルとして選択するセル選択手段と、前記無線パラメータ制御手段における前記無線パラメータを変更するタイミングに関連付けて、前記第１のセルの前記受信品質を測定する測定タイミングを調整し、調整した該測定タイミングを前記対象移動局に通知するタイミング調整手段と、を有することを特徴とする。
【００１８】
（４）本発明による基地局制御プログラムは、第１の周波数をキャリアとして用いる少なくとも１つの第１のセルと、前記第１の周波数とは異なる第２の周波数をキャリアとして用いる少なくとも１つの第２のセルと、基地局装置と、前記第１のセルと前記第２のセルとの少なくとも一方のセルによって通信する移動局とを含む無線通信システムにおいて前記基地局装置に実装されたコンピュータの制御プログラムとして実行される基地局制御プログラムであって、
前記第１のセルの無線パラメータを変更する無線パラメータ制御処理と、前記第２のセルによって接続中の前記移動局をセル再選択の対象とする対象移動局とし、該対象移動局において測定された前記第１のセルの受信品質を取得する受信品質取得処理と、前記受信品質取得処理において取得した前記第１のセルの前記受信品質に基づいて、前記第１のセルを接続先セルとして選択するセル選択処理と、前記無線パラメータ制御処理における前記無線パラメータを変更するタイミングに関連付けて、前記第１のセルの前記受信品質を測定する測定タイミングを調整し、調整した該測定タイミングを前記対象移動局に通知するタイミング調整処理と、を有することを特徴とする。
【発明の効果】
【００１９】
本発明の測定タイミング調整方法、無線通信システム、基地局装置および基地局制御プログラムによれば、以下のような効果を奏することができる。
【００２０】
すなわち、本発明は、カバレッジを変更するタイミングに関連付けて、異周波数の受信品質を測定するタイミングを移動局毎に調整するので、カバレッジ変更に伴う異周波数セル選択に要する時間を短縮し、異周波数セル間の負荷分散を直ちに実現することができるという効果が得られる。
【図面の簡単な説明】
【００２１】
【図１】本発明の第１の実施の形態に係るスモールセル基地局、移動局を含む無線通信システムの構成図である。
【図２】本発明の第１の実施の形態に係るスモールセル基地局および移動局の内部構成の一例を示すブロック図である。
【図３】本発明の第１の実施の形態に係る測定タイミングの調整方法の一例を実現するためのスモールセル基地局における動作手順を示すフローチャートである。
【図４】本発明の第１の実施の形態に係る測定タイミングの調整方法の一例を実現するための移動局における動作手順を示すフローチャートである。
【図５】本発明の第１の実施の形態に係る測定タイミングの調整方法の一例を実現するために、スモールセル基地局と移動局との間で送受信されるメッセージの流れを示すシーケンス図である。
【図６】本発明の第１の実施の形態に係る測定タイミングの調整方法を実現するために設定される特定の測定時間（Measurement  Gap）の具体例を説明するための説明図である。
【図７】本発明の第２の実施の形態に係るスモールセル基地局、移動局の内部構成の一例を示すシステム構成図である。
【図８】本発明の第２の実施の形態に係る測定タイミングの調整方法の一例を実現するためのスモールセル基地局における動作手順を示すフローチャートである。
【図９】本発明の第２の実施の形態に係るスモールセル基地局におけるカバレッジ制御の実施手順の一例を説明するための説明図である。
【図１０】本発明の第２の実施の形態に係る測定タイミングの調整方法の一例を実現するために、スモールセル基地局と移動局との間で送受信されるメッセージの流れを示すシーケンス図である。
【図１１】本発明の第３の実施の形態に係る測定タイミングの調整方法の一例を実現するためのスモールセル基地局における動作手順を示すフローチャートである。
【図１２】本発明の第４の実施の形態に係るスモールセル基地局および移動局の内部構成の一例を示すブロック図である。
【図１３】本発明の第４の実施の形態に係る測定タイミングの調整方法の一例を実現するためのスモールセル基地局における動作手順を示すフローチャートである。
【発明を実施するための形態】
【００２２】
以下、本発明による測定タイミング調整方法、無線通信システム、基地局装置および基地局制御プログラムの好適な実施形態について添付図を参照して説明する。なお、以下の説明においては、本発明による測定タイミング調整方法、無線通信システムおよび基地局装置について説明するが、かかる測定タイミング調整方法を基地局装置内のコンピュータにより実行可能な基地局制御プログラムとして実施するようにしても良いし、あるいは、基地局制御プログラムをコンピュータにより読み取り可能な記録媒体に記録するようにしても良いことは言うまでもない。また、以下の各図面に付した図面参照符号は、理解を助けるための一例として各要素に便宜上付記したものであり、本発明を図示の態様に限定することを意図するものではないことも言うまでもない。なお、以下の各図面において、同一要素には同一の図面参照符号が付されており、説明の明確化のために必要な場合を除いて、同一要素に関する重複した説明は省略している。
【００２３】
（本発明の特徴）
本発明の実施形態の説明に先立って、本発明の特徴についてその概要をまず説明する。本発明は、カバレッジを変更するタイミングに関連付けて、異周波数の受信品質を測定するタイミングを移動局毎に調整することを主要な特徴とし、而して、カバレッジ変更に伴う異周波数セル選択に要する時間を短縮し、異周波数セル間の負荷分散を直ちに実現することができる。本発明は、具体的には、主に、次のような４つの態様からなっている。
【００２４】
本発明の第１の態様は、測定タイミングの調整方法である。第１の周波数をキャリアとして用いる少なくとも１つの第１のセルと、前記第１の周波数とは異なる第２の周波数をキャリアとして用いる少なくとも１つの第２のセルと、基地局装置と、前記第１のセルと前記第２のセルとの少なくとも一方のセルによって通信する移動局とを含む無線通信システムにおいてセル選択のための測定タイミングを調整する測定タイミング調整方法であって、
前記第１のセルの無線パラメータを変更する無線パラメータ制御ステップと、前記第２のセルによって接続中の前記移動局をセル再選択の対象とする対象移動局とし、該対象移動局において測定された前記第１のセルの受信品質を取得する受信品質取得ステップと、前記受信品質取得ステップにおいて取得した前記第１のセルの前記受信品質に基づいて、前記第１のセルを接続先セルとして選択するセル選択ステップと、前記無線パラメータ制御ステップにおける前記無線パラメータを変更するタイミングに関連付けて、前記第１のセルの前記受信品質を測定する測定タイミングを調整し、調整した該測定タイミングを前記対象移動局に通知するタイミング調整ステップと、を有することを特徴とする。
【００２５】
本発明の第２の態様は、無線通信システムである。第１の周波数をキャリアとして用いる少なくとも１つの第１のセルと、前記第１の周波数とは異なる第２の周波数をキャリアとして用いる少なくとも１つの第２のセルと、基地局装置と、前記第１のセルと前記第２のセルとの少なくとも一方のセルによって通信する移動局とを含む無線通信システムであって、
前記第１のセルの無線パラメータを変更する無線パラメータ制御手段と、前記第２のセルによって接続中の前記移動局をセル再選択の対象とする対象移動局とし、該対象移動局において測定された前記第１のセルの受信品質を取得する受信品質取得手段と、前記受信品質取得手段において取得した前記第１のセルの前記受信品質に基づいて、前記第１のセルを接続先セルとして選択するセル選択手段と、前記無線パラメータ制御手段における前記無線パラメータを変更するタイミングに関連付けて、前記第１のセルの前記受信品質を測定する測定タイミングを調整し、調整した該測定タイミングを前記対象移動局に通知するタイミング調整手段と、を有することを特徴とする。
【００２６】
本発明の第３の態様は、基地局装置である。第１の周波数をキャリアとして用いる少なくとも１つの第１のセルと、前記第１の周波数とは異なる第２の周波数をキャリアとして用いる少なくとも１つの第２のセルと、前記第１のセルと前記第２のセルとの少なくとも一方のセルによって通信する移動局とを含む無線通信システムにおける基地局装置であって、
前記第１のセルの無線パラメータを変更する無線パラメータ制御手段と、前記第２のセルによって接続中の前記移動局をセル再選択の対象とする対象移動局とし、該対象移動局において測定された前記第１のセルの受信品質を取得する受信品質取得手段と、前記受信品質取得手段において取得した前記第１のセルの前記受信品質に基づいて、前記第１のセルを接続先セルとして選択するセル選択手段と、前記無線パラメータ制御手段における前記無線パラメータを変更するタイミングに関連付けて、前記第１のセルの前記受信品質を測定する測定タイミングを調整し、調整した該測定タイミングを前記対象移動局に通知するタイミング調整手段と、を有することを特徴とする。
【００２７】
本発明の第４の態様は、基地局制御プログラムである。第１の周波数をキャリアとして用いる少なくとも１つの第１のセルと、前記第１の周波数とは異なる第２の周波数をキャリアとして用いる少なくとも１つの第２のセルと、基地局装置と、前記第１のセルと前記第２のセルとの少なくとも一方のセルによって通信する移動局とを含む無線通信システムにおいて前記基地局装置に実装されたコンピュータの制御プログラムとして実行される基地局制御プログラムであって、
前記第１のセルの無線パラメータを変更する無線パラメータ制御処理と、前記第２のセルによって接続中の前記移動局をセル再選択の対象とする対象移動局とし、該対象移動局において測定された前記第１のセルの受信品質を取得する受信品質取得処理と、前記受信品質取得処理において取得した前記第１のセルの前記受信品質に基づいて、前記第１のセルを接続先セルとして選択するセル選択処理と、前記無線パラメータ制御処理における前記無線パラメータを変更するタイミングに関連付けて、前記第１のセルの前記受信品質を測定する測定タイミングを調整し、調整した該測定タイミングを前記対象移動局に通知するタイミング調整処理と、を有することを特徴とする。
【００２８】
＜本発明の第１の実施の形態＞
次に、本発明を適用した測定タイミング調整方法の第１の実施の形態について、図面を参照しながら詳細に説明する。本第１の実施の形態に係る無線通信システムにおける測定タイミング調整方法においては、或る周波数をキャリアとして用いるセルに接続中の移動局に対して、該周波数とは異なる別の周波数をキャリアとして用いるセルのカバレッジを変更するタイミングに関連付けて、カバレッジを変更した直後になるように後者のセルの受信品質を測定するタイミングを調整する場合について説明している。
【００２９】
（第１の実施の形態の構成例の説明）
図１は、本発明の第１の実施の形態に係るスモールセル基地局、移動局を含む無線通信システムのシステム構成の一例を示すシステム構成図である。本第１の実施の形態における以下の説明においては、無線通信システムにＬＴＥ（Long  Term  Evolution）方式を適用し、上り回線と下り回線とで、同一周波数を使用するＴＤＤ（Time  Division  Duplex）方式を適用した場合について説明する。ＴＤＤ方式の場合、時間軸によって上り回線と下り回線との通信を分ける。
【００３０】
本第１の実施の形態に係る無線通信システムは、図１に示すように、複数周波数の周波数毎に複数の送受信アンテナを備えるマルチキャリア対応のスモールセル基地局１と、該スモールセル基地局１と通信する移動局２とを少なくとも含んで構成される。さらに、スモールセル基地局１は、複数のセル３を備え、相対的に、高周波数、広帯域（例えば、４０ＭＨｚ）の３．５ＧＨｚキャリアを用いるセル３−１（第１のセル）と、相対的に、低周波数、狭帯域（例えば、1０ＭＨｚ）の２ＧＨｚキャリアを用いるセル３−２（第２のセル）とを備えている。図１においては、３．５ＧＨｚキャリアで通信する移動局２−１、２ＧＨｚキャリアで通信する移動局２−２が、それぞれ、セル３−１、セル３−２に位置している。移動局２は、いずれかのキャリアのセル３のみによって通信することができる。図１においては、移動局２−１および移動局２−２は、それぞれセル３−１およびセル３−２を介してスモールセル基地局１と通信中（アクティブ）の状態にある。
【００３１】
一般的に、高周波数ほど電波の直進性が高く、回り込みをしないので、高周波数側の３．５ＧＨｚキャリアのセル３−１の方が、低周波数側の２ＧＨｚキャリアのセル３−２よりもカバレッジが狭い場合が多い。また、高周波数ほど周波数リソースを広帯域に確保し易いので、スループットは、高周波数側の３．５ＧＨｚを用いて通信を行う移動局２−１の方が、低周波数側の２ＧＨｚを用いて通信を行う移動局２−２よりも高くなることが多い。なお、本第１の実施の形態においては、図１に示すセル３−１とセル３−２との間で、複数の周波数帯域を同時に用いて通信するキャリアアグリゲーション（ＣＡ：Carrier  Aggregation）を適用することを前提にして説明している。
【００３２】
図１のさらなる補足をすると、次の通りである。図１に白抜きの移動局として示すように、５台の移動局２−２が位置する場所においては、２ＧＨｚキャリアしか選択することができないので、白抜きの５台の移動局２−２は、セル３−２に収容されることになる。また、図１に斜線付きの移動局として示す１台の移動局２−１が位置する場所においては、３．５ＧＨｚキャリアと２ＧＨｚキャリアとの両方を選択することができるが、３．５ＧＨｚキャリアの受信電力（ＲＳＲＰ：Reference  Signal  Received  Power）があらかじめ定めた所定値以上となっているので、当該１台の移動局２−１は、セル３−１に収容されている。
【００３３】
また、図１に示すように、移動局２−２が５台、移動局２−１が１台であり、セル３−２の方が、セル３−１よりも接続中の移動局２の台数が多いので、セル３−２は、移動局２−２の台数に基づく負荷が、相対的に高い状況である。なお、図１における移動局２の台数、各セル３の数、サイズおよび周波数は一例であり、本発明が、図１に限定されるものではないことは言うまでもない。
【００３４】
次に、図１に示したスモールセル基地局１および移動局２の内部構成について図２を参照しながら詳細に説明する。図２は、本発明の第１の実施の形態に係るスモールセル基地局１および移動局２の内部構成の一例を示すブロック図である。なお、図１に示した移動局２−１と移動局２−２との内部構成は同一であり、図２には、移動局２として内部構成の一例を示している。以下、各装置の内部構成について順に説明する。
【００３５】
まず、スモールセル基地局１の内部構成について説明する。スモールセル基地局１は、図２に示すように、基地局無線送受信部１０、タイミング調整部１１、測定制御部１２、無線パラメータ制御部１３およびセル選択部１４、を少なくとも含んで構成されている。
【００３６】
基地局無線送受信部１０は、移動局２との無線通信を行うための、スモールセル基地局１における無線送受信の基本機能を備える。該基本機能として、下り回線参照信号を含む制御信号やデータ信号の送信機能、上り回線参照信号を含む移動局からの制御信号やデータ信号の受信機能、および、下り回線のデータ送信相手となる移動局２を選択し、割り当てた周波数リソース（ＰＲＢ：Physical  Resource  Block）やＭＣＳ（Modulation  and  Coding  Schemes）などのスケジューリング情報とともに、選択した移動局２に対してデータを送信するスケジューラ機能等がある。また、基地局無線送受信部１０は、無線送受信を行うために、周波数（本第１の実施の形態においては３．５ＧＨｚと２ＧＨｚとの２つの周波数）毎に、複数の送受信アンテナ素子を備える。複数の該送受信アンテナ素子は、例えば、電波の半波長の間隔でリニアアレイ状に配置されているものとすることにより、送信ビームのビームフォーミングや受信ビームの到来角推定が可能となる。
【００３７】
タイミング調整部１１は、セル選択のための測定タイミングを調整する部位であって、無線パラメータ制御部１３における無線パラメータを変更するタイミングに関連付けて、測定を行う移動局２が接続中のセル３の周波数とは異なる異周波数側のセル３すなわち異周波数セルの受信品質を移動局２が測定する測定タイミングを調整して、調整した該測定タイミングを前記受信品質の測定を行う対象移動局に該当する移動局２−２に通知するタイミング調整手段を提供するものであり、無線パラメータ制御部１３が設定する例えばカバレッジの変更周期に基づき、測定を行う移動局２（対象移動局）が接続中のセル３（例えば第２のセル）の周波数とは異なる異周波数セルの受信品質の測定タイミングを設定する。設定する該測定タイミングとしては、測定開始時刻と測定周期Ｔｍとを設定する。タイミング調整部１１において設定した測定タイミングは、測定制御部１２に通知される。
【００３８】
測定制御部１２は、タイミング調整部１１が設定した測定タイミングに基づき、移動局２（対象移動局）毎に、接続中のセル３の周波数とは異なる異周波数セルの受信品質の測定タイミングを設定する。すなわち、３．５ＧＨｚキャリアのセル３−１に接続している移動局２−１に対しては、２ＧＨｚキャリアのセル３−２の受信品質の測定タイミングを、２ＧＨｚキャリアのセル３−２に接続している移動局２−２に対しては、３．５ＧＨｚキャリアのセル３−１の受信品質の測定タイミングを、それぞれ設定する。
【００３９】
設定した測定タイミングは、構成変更指示メッセージ（ＬＴＥ方式においては、ＲＲＣ（Radio  Resource  Control）コネクションの構成を変更することを指示する「ＲＲＣ  connection  reconfiguration」メッセージ）により、基地局無線送受信部１０を経由して、各移動局２に対して通知する。なお、本第１の実施の形態においては、接続中の全ての移動局２をセル間の負荷の均等化を図るために接続先のセルを再選択させる対象としており、測定タイミングを通知する移動局２（対象移動局）には、特に条件を設けないこととする。
【００４０】
つまり、測定制御部１２は、接続中の全ての移動局２に対してかかる測定タイミングの指示を通知することにより、例えば２ＧＨｚキャリアのセル３−２（第２のセル）の周波数を用いて通信中の移動局２−２において測定された異周波数セル例えばセル３−１（第１のセル）の受信品質を取得する受信品質取得手段を提供していることになる。言い換えると、第２のセルによって接続中の移動局２−２を第１のセル３−１へとハンドオーバさせるセル再選択の対象となる対象移動局として、接続中の全ての対象局２を対象にして、該対象移動局それぞれにおいて測定された第１のセル３−１の受信品質を取得する受信品質取得手段を提供していることになる。
【００４１】
無線パラメータ制御部１３は、測定を行う移動局２が接続中のセル３（第２のセル）とは異なる異周波数セル（第１のセル）の無線パラメータを変更する無線パラメータ制御手段を提供するものであり、セル３のカバレッジを調整するための無線パラメータを制御する。本第１の実施の形態においては、例えば、２ＧＨｚキャリアのセル３−２（第２のセル）に接続している移動局２をハンドオーバさせて接続替えをさせるように、３．５ＧＨｚキャリアのセル３−１（第１のセル）に対して、下り回線参照信号を含む制御信号の送信ビームの指向性を制御する。本第１の実施の形態にて扱う該無線パラメータは、ガバレッジ制御用のパラメータであり、例えば、第１のセルにおける前記下り回線参照信号を含む制御信号の送信ビームの指向性を制御するカバレッジ制御用パラメータまたは第１のセルを形成する際の送信電力、アンテナチルト角の少なくとも一方を制御するカバレッジ制御用パラメータが含まれている。
【００４２】
セル選択部１４は、異周波数セル（例えば、第１のセル：セル３−１）の受信品質の測定を行う移動局２において測定された異周波数セル（第１のセル）の受信品質に基づいて、該異周波数セル（第１のセル）を接続先セルとして選択するセル選択手段を提供するものであり、移動局２が測定して報告してくる特定セル（異周波数セル）の受信品質（ＲＳＲＱ：Reference  Signal  Received  Quality）に基づき、当該移動局２が接続しようとするセル３をセル３−１とセル３−２との中から選択または再選択（ハンドオーバ時）する。具体的には、異周波数セルの受信品質（ＲＳＲＰ）がＥｖｅｎｔ−Ａ４条件としてあらかじめ定めた所定の第１の品質閾値以上の場合の移動局２からの報告（Ｅｖｅｎｔ−Ａ４：異周波数セルの受信品質が該第１の品質閾値以上に良好であることを示す評価）に基づいて、測定対象の異周波数セルの情報から、接続するセルを選択する。
【００４３】
次に、図２の移動局２の内部構成について説明する。移動局２は、図２に示すように、移動局無線送受信部２０、チャネル品質測定部２１、およびチャネル品質報告部２２、を少なくとも含んで構成されている。
【００４４】
移動局無線送受信部２０は、スモールセル基地局１との無線通信のための、移動局２における無線送受信の基本機能を備えている。該基本機能として、上り回線参照信号を含む制御信号やデータ信号のスモールセル基地局１への送信機能、下り回線参照信号を含む制御信号やデータ信号のスモールセル基地局１からの受信機能等がある。
【００４５】
チャネル品質測定部２１は、当該移動局２の接続先のセル３（移動局２−１の場合は、３．５ＧＨｚキャリアのセル３−１、移動局２−２の場合は、２ＧＨｚキャリアのセル３−２）と、接続先のセル３の周波数とは異なる異周波数のセル（移動局２−１の場合は、セル３−２、移動局２−２の場合は、セル３−１）の受信品質をそれぞれ測定する。本第１の実施の形態においては、受信品質として下り回線参照信号の受信電力（ＲＳＲＰ）を用いる。なお、本第１の実施の形態においても、セル３−１とセル３−２との間でキャリアアグリゲーションを適用することも可能であるが、かかる場合は、移動局２は、接続先のセル３と異周波数のセルとの双方の受信電力（ＲＳＲＰ）を、特定の測定時間（Measurement  Gap）を用いることなく、測定することができる。
【００４６】
チャネル品質報告部２２は、チャネル品質測定部２１が測定した複数セル３の受信電力（ＲＳＲＰ）に関する情報を、周期測定レポート（Periodic  Measurement  Report）として、あらかじめ定めた所定の周期でスモールセル基地局１に報告するとともに、異周波数セルの受信電力（ＲＳＲＰ）がＥｖｅｎｔ−Ａ４の条件としてあらかじめ定めた所定の第１の品質閾値以上であった場合には、対象の異周波数セルの受信電力（ＲＳＲＰ）とその異周波数セルの品質評価情報（Ｅｖｅｎｔ−Ａ４）とを、スモールセル基地局１に対して報告する。移動局２からの受信電力（ＲＳＲＰ）の報告値は、移動局無線送受信部２０からスモールセル基地局１の基地局無線送受信部１０を介して、セル選択部１４に届けられる。
【００４７】
（第１の実施の形態の動作の説明）
次に、図１、図２に示した第１の実施の形態における、測定タイミングの調整に関する動作について、その一例を説明する。まず、スモールセル基地局１において測定タイミングを調整する動作について、図３のフローチャートを参照しながら詳細に説明する。図３は、本発明の第１の実施の形態に係る測定タイミングの調整方法の一例を実現するためのスモールセル基地局１における動作手順を示すフローチャートである。
【００４８】
図３のフローチャートが起動されると、まず、無線パラメータ制御部１３において、カバレッジ調整のための無線パラメータの変更周期Ｔｒを設定する（ステップＳ１０１）。変更周期Ｔｒは、トラヒック負荷などの変動周期やハードウェアの処理性能に基づいて設定すれば良い（例えば、１００ｍｓｅc〜１ｓｅｃの範囲）。
【００４９】
次いで、タイミング調整部１１において、無線パラメータ制御部１３における無線パラメータの変更タイミングに関連付けて、異周波数セルのセル３−１の受信品質（ＲＳＲＰ）の測定タイミング（測定開始時刻と測定周期Ｔｍ）を調整して設定し、設定した測定タイミングを、測定制御部１２に通知することにより、制御対象となるセル３−２に接続されている移動局２（対象移動局）に対して通知する（ステップＳ１０２）。
【００５０】
例えば、無線パラメータの変更が時刻ｔ１から周期Ｔｒの間隔で実施される場合には、測定タイミングとして、測定開始時刻は、ｔ１＋Δｔ（Δt：カバレッジ変更の処理遅延を考慮した時間オフセット）に、測定周期Ｔｍは、Ｔｍ＝Ｔｒに設定する。かくのごとき測定タイミングを設定することによって、無線パラメータの変更直後（カバレッジ調整動作の実施直後）において、異周波数セルの受信品質（ＲＳＲＰ）の測定を周期的に実施することができる。なお、該測定タイミングは、無線パラメータの変更の実施タイミングまたは無線パラメータの変更の決定タイミングのいずれかをトリガとして、移動局２（対象移動局）に通知される。
【００５１】
次に、移動局２における異周波数セルの受信品質Ｍｎの測定・報告の動作の一例について、図４のフローチャートを参照しながら詳細に説明する。図４は、本発明の第１の実施の形態に係る測定タイミングの調整方法の一例を実現するための移動局２における動作手順を示すフローチャートである。
【００５２】
図４のフローチャートにおいて、まず、移動局２のチャネル品質測定部２１は、スモールセル基地局１から通知されてきた異周波数セルのセル３−１の受信品質（ＲＳＲＰ）の測定タイミング（測定開始時刻と測定周期Ｔｍ）を取得すると、スモールセル基地局１から指定された測定タイミング（測定開始時刻と測定周期Ｔｍ）にしたがって、異周波数セルのセル３−１の受信品質Ｍｎの測定を実施するようにスケジュールを設定する（ステップＳ２０１）。
【００５３】
しかる後、現在時刻ｔが、異周波数セルのセル３−１の受信品質Ｍｎを測定する測定タイミングに達したか否かを判定するために、「ｍｏｄ（ｔ，Ｔｍ）＝０」の条件が成立しているか否かを確認する（ステップＳ２０２）。ここで、「mｏｄ（ｘ，ｙ）」は、変数xを変数yで除した際の余りを返す関数である。「ｍｏｄ（ｔ，Ｔｍ）＝０」の条件が成立していた場合（Ｓ２０２のＹＥＳ）、受信品質Ｍｎの測定タイミングに達しているので、ステップＳ２０３に移行する。一方、「ｍｏｄ（ｔ，Ｔｍ）＝０」の条件が成立していない場合は（Ｓ２０２のＮＯ）、まだ、受信品質Ｍｎの測定タイミングに達していないので、図４のフローチャートの処理を終了して、次の図４のフローチャートの起動タイミングに達するまで待ち合わせる。
【００５４】
測定タイミングに達して、ステップＳ２０３に進むと、チャネル品質測定部２１は、異周波数セルのセル３−１の受信品質Ｍｎを測定して、測定した受信品質Ｍｎをチャネル品質報告部２２に対して通知する（ステップＳ２０３）。チャネル品質測定部２１からの通知を受け取ったチャネル品質報告部２２は、測定した異周波数セルのセル３−１の受信品質Ｍｎと、Ｅｖｅｎｔ−Ａ４の条件としてあらかじめ定めた第１の品質閾値Ｔｈとを比較する（ステップＳ２０４）。
【００５５】
受信品質Ｍｎが第１の品質閾値Ｔｈ以下であった場合（ステップＳ２０４のＮＯ），異周波数セルのセル３−１の受信品質Ｍｎは、当該移動局２のハンドオーバ先のセル３の候補には該当しない受信品質レベルであるので、図４のフローチャートの処理を終了する。
【００５６】
これに対して、受信品質Ｍｎが第１の品質閾値Ｔｈよりも大きい場合は（ステップＳ２０４のＹＥＳ），Ｅｖｅｎｔ−Ａ４の報告条件を満たし、当該移動局２のハンドオーバ先のセル３の候補となり得る受信品質レベルであるので、ステップＳ２０５に進み、対象の異周波数セルの受信電力（ＲＳＲＰ）とその異周波数セルの品質評価情報（Ｅｖｅｎｔ−Ａ４の報告条件を満たした旨の評価情報）とを、スモールセル基地局１に対して報告して（ステップＳ２０５）、図４のフローチャートの処理を終了する。
【００５７】
次に、スモールセル基地局１と移動局２との間における、測定タイミングの設定、無線パラメータの変更および異周波数セルの選択の一連の動作について、図５のシーケンス図を参照しながら詳細に説明する。図５は、本発明の第１の実施の形態に係る測定タイミングの調整方法の一例を実現するために、スモールセル基地局１と移動局２との間で送受信されるメッセージの流れを示すシーケンス図である。
【００５８】
図５のシーケンス図において、まず、スモールセル基地局１は、接続中のセル３−２を介して、移動局２−２に対して，構成変更指示メッセージである「ＲＲＣ（Radio  Resource  Control）  connection  reconfiguration」メッセージを送信する（シーケンスＳ３０１）。該構成変更指示メッセージ（「ＲＲＣ（Radio  Resource  Control）  connection  reconfiguration」メッセージ）の中には、図３のフローチャートのステップＳ１０２において説明した測定タイミング（測定開始時刻と測定周期Ｔｍ）に関する情報（measurement  configuration）が含まれている。
【００５９】
スモールセル基地局１からの構成変更指示メッセージ（「ＲＲＣ（Radio  Resource  Control）  connection  reconfiguration」メッセージ）を受信すると、移動局２−２は、該構成変更指示メッセージに含まれていた測定タイミングの情報の受信が完了したことを示す構成変更完了メッセージ（「ＲＲＣ  connection  reconfiguration  complete」メッセージ）を、セル３−２を介して報告する（シーケンスＳ３０２）。
【００６０】
しかる後、スモールセル基地局１の無線パラメータ制御部１３において設定された無線パラメータの変更時刻に達すると、カバレッジ制御のための無線パラメータの変更が実施され、スモールセル基地局１の無線パラメータ制御部１３は、例えば、セル３−１のカバレッジを変更する（シーケンスＳ３０３）。
【００６１】
前述のように、カバレッジ制御のための無線パラメータの変更タイミングに関連付けて、該無線パラメータの変更タイミングの直後に設定されている測定タイミングに達すると、移動局２−２のチャネル品質測定部２１において、異周波数セルのセル３−１に関する受信品質Ｍｎの測定が行われる。チャネル品質報告部２２は、チャネル品質測定部２１から測定結果を受け取ると、測定した受信品質ＭｎをＥｖｅｎｔ−Ａ４の条件として定めた第１の品質閾値と比較する。
【００６２】
その比較結果として、測定した受信品質ＭｎがＥｖｅｎｔ−Ａ４の報告条件を満たしていると判定した場合には、異周波数セルのセル３−１が当該移動局２−２のハンドオーバ先のセル３候補とみなされ、品質測定報告メッセージである「inter-frequency measurement report」メッセージを用いて、対象の異周波数セルの受信電力（ＲＳＲＰ）とその異周波数セルの品質評価情報（Ｅｖｅｎｔ−Ａ４）とを、セル３−２を介して、スモールセル基地局１に対して報告する（シーケンスＳ３０４）。
【００６３】
スモールセル基地局１のセル選択部１４は、移動局２−２からの品質測定報告メッセージ（「inter-frequency measurement report」メッセージ）を受け取ると、該品質測定報告メッセージ（「inter-frequency measurement report」メッセージ）に含まれている異周波数セル（セル３−１）の受信電力（ＲＳＲＰ）とその異周波数セルの品質評価情報（Ｅｖｅｎｔ−Ａ４条件）とに基づいて、当該移動局２−２の接続先セルを、現在のセル３−２（２ＧＨｚ）からセル３−１（３．５ＧＨｚ）に変更するセル選択を行う（シーケンスＳ３０５）。
【００６４】
本第１の実施の形態においては、カバレッジを変更するタイミングの直後に、異周波数セルの受信品質を測定するように、測定タイミングを移動局毎に設定しているので、カバレッジ変更に伴う異周波数セルの選択に要する時間を短縮することができ、異周波数セル間の負荷分散を直ちに実現することができるという効果が得られる。
【００６５】
また、図３のフローチャートに示した手順は、マイクロプロセッサ等のコンピュータに基地局装置を制御するためのプログラムとして実行させることによって実現することが可能である。すなわち、基地局制御プログラムを実行するコンピュータに、異周波数セルの測定タイミングを設定させる処理を実行させるようにすれば良い。
【００６６】
なお、前述の説明においては、セル３−１とセル３−２との間でキャリアアグリゲーションを適用することができ、移動局２は、接続先のセルと異周波数のセルとの双方の受信電力（ＲＳＲＰ）を、特定の測定時間（Measurement  Gap）を用いることなく測定することができる場合について説明したが、キャリアアグリゲーションを適用しない場合には、特定の測定時間（Measurement  Gap）を用いて、異周波数セルの受信電力（ＲＳＲＰ）を測定することになる。かかる場合における特定の測定時間（Measurement  Gap）の具体例を、図６の説明図を用いて説明する。
【００６７】
図６は、本発明の第１の実施の形態に係る測定タイミングの調整方法を実現するために設定される特定の測定時間（Measurement  Gap）の具体例を説明するための説明図であり、１０ｍｓｅｃ区間のフレーム（ｆｒａｍe）、１ｍｓｅｃ区間のサブフレーム（ｓｕｂｆｒａｍｅ）から構成されるＬＴＥ方式のシステムフレーム構成の場合について例示している。
【００６８】
測定時間（Measurement  Gap）を設定するために、まず、該測定時間（Measurement  Gap）の繰返し周期（ＭＧＲＰ：Measurement  Gap  Repetition  Period）と該測定時間（Measurement  Gap）の時間長（ＭＧＬ：Measurement  Gap  Length）とを設定する。図６に示すように、ＬＴＥ方式においては、繰返し周期（ＭＧＲＰ）は、４０ｍｓｅｃまたは８０ｍｓｅｃと規定され、時間長（ＭＧＬ）は、６ｍｓｅｃと規定されている。ここで、パラメータgapOffestを用いて、測定時間（Measurement  Gap）の開始時刻となるサブフレーム（ｓｕｂｆｒａｍｅ）を、次の式（１）に示すように指定する。
【００６９】
【数１】
2016063243.tif 000003
…（１）
【００７０】
式（１）において、変数SFNは、システムフレーム番号（ＳＦＮ：System  Frame  Number）を意味し、関数FLOOR(x)は、実数xに対してx以下の最大の整数を返す床関数を意味している。なお、図６の設定例においては、繰返し周期ＭＧＲＰ＝４０ｍｓｅｃに設定し、パラメータgapOffset＝２５に設定した例を示している。
【００７１】
かくのごとき設定を行うことによって、測定時間（Measurement  Gap）は、システムフレーム番号SFN＝２，６，１０，…における第５番目のサブフレーム(subframe)から始まり次のシステムフレーム番号の先頭の第０番目のサブフレーム(subframe)に至るまでの６個のサブフレーム(subframe)の間の、時間長ＭＧＬ＝６ｍｓｅｃの区間として設定される。かくのごとく、設定された測定時間（Measurement  Gap）を用いて、異周波数セルの受信電力（ＲＳＲＰ）を測定することにすれば良い。つまり、パラメータgapOffsetを用いて、式（１）に示す条件を満たすタイミングを、異周波数セルの測定タイミングとして設定することにすれば良い。
【００７２】
なお、本第１の実施の形態においては、測定対象の異周波数セルの受信品質を、下り回線参照信号の受信電力（ＲＳＲＰ）として説明したが、かかる場合に限るものではない。例えば、下り回線参照信号の受信品質（ＲＳＲＱ）を用いても良い。
【００７３】
また、本第１の実施の形態においては、カバレッジを変更するために用いる無線パラメータとして、下り回線参照信号を含む制御信号の送信ビームの指向性を変更する場合について説明したが、かかる場合に限るものではない。該無線パラメータとして、例えば、異周波数セル（セル３−１）を形成する際の送信電力、アンテナチルト角を用いても良い。
【００７４】
また、本第１の実施の形態においては、移動局２のチャネル品質報告部２２が行う受信品質の測定報告として，隣接セル（異周波数セル）の受信品質が、Ｅｖｅｎｔ−Ａ４条件としてあらかじめ定めた第１の品質閾値以上に良好であることを示す評価であるＥｖｅｎｔ−Ａ４を用いたが、かかる場合に限るものではない。例えば、受信品質の測定報告として、Ｅｖｅｎｔ−Ａ３の測定報告を用いても良い。ここで、Ｅｖｅｎｔ−Ａ３とは、隣接セル（異周波数セル）の受信品質の評価結果として、接続中のセルの受信品質よりも隣接セル（異周波数セル）の受信品質の方があらかじめ定めた所定値以上に良好である場合に実施される測定報告である。移動局２がどの測定報告を実施するかは、スモールセル基地局１の測定制御部１２が移動局２に対して指示すれば良い。
【００７５】
また、本第１の実施の形態においては、測定した異周波数セルの受信品質を周期的に報告する周期測定レポート（Periodic  Measurement  Report）の場合を説明したが、かかる場合に限るものではない。例えば、測定した異周波数セルの受信品質が、非周期報告用としてあらかじめ定めた第２の品質閾値以上となる場合にのみ、受信品質を報告する非周期測定レポート（Aperiodic  Measurement  Report）を適用して、受信品質の報告を行うようにしても良い。これにより、受信品質の報告頻度を抑制することができる。なお、該第２の品質閾値は、Ｅｖｅｎｔ−Ａ４条件としてあらかじめ定めた第１の品質閾値以下の値に設定することが望ましい。
【００７６】
＜本発明の第２の実施の形態＞
次に、本発明を適用した測定タイミング調整方法の第２の実施の形態について、図面を参照しながら詳細に説明する。本第２の実施の形態に係る無線通信システムにおける測定タイミング調整方法においては、異周波数セルの測定タイミングを設定する移動局２を、セル間の負荷の均等化を図るために接続先のセルを再選択させる候補として、異周波数セルの受信品質を測定する対象とする対象移動局として指定し、対象移動局として指定した移動局２にのみ受信品質の測定タイミングを設定する。すなわち、第１の実施の形態においては、図１に示したセル２−２を用いて接続中の５台の移動局２−２全てを対象移動局として、全ての移動局２−２に対して測定タイミングを指定して設定していたのに対して、本第２の実施の形態においては、異周波数セルのセル３−１のカバレッジを変更した後に、セル２−２（第２のセル）からセル２−１（第１のセル）へ接続先セルが変更されて、当該セル３−１のカバレッジに新たに含まれる可能性がある移動局２−２のみに絞って、対象移動局として指定して、測定タイミングを設定する場合について示している。
【００７７】
（第２の実施の形態の構成例の説明）
本発明の第２の実施の形態に係るスモールセル基地局、移動局を含む無線通信システムのシステム構成は、第１の実施の形態として図１に示したシステム構成と同様であり、無線通信システムにＬＴＥ（Long  Term  Evolution）方式を適用し、上り回線と下り回線とで、同一周波数で送信時間が異なるＴＤＤ(Time  Division  Duplex)方式を適用している。
【００７８】
次に、本第２の実施の形態におけるスモールセル基地局１および移動局２の内部構成について図７を参照しながら詳細に説明する。図７は、本発明の第２の実施の形態に係るスモールセル基地局、移動局の内部構成の一例を示すシステム構成図である。ただし、移動局２の内部構成は、第１の実施の形態の図２と全く同一であるので、ここでの重複する説明は省略し、以下に、スモールセル基地局１の内部構成について説明する。
【００７９】
図７のブロック構成におけるスモールセル基地局１の内部構成と図２の場合との相違点は、測定タイミングの設定対象になる移動局２を選択して対象移動局として決定するための構成要素として、送受信バッファ部１５、移動局分布推定部１６、移動局通信状態測定部１７および対象移動局選択部１８が新たに追加された構成となっている点である。スモールセル基地局１のその他の構成要素（基地局無線送受信部１０、タイミング調整部１１、測定制御部１２、無線パラメータ制御部１３およびセル選択部１４）については、図２のブロック構成の場合と同一であり、図２と同じ参照符号を付して、ここでの重複する説明は割愛する。以下、本第２の実施形態においてスモールセル基地局１に新たに追加した送受信バッファ部１５、移動局分布推定部１６、移動局通信状態測定部１７および対象移動局選択部１８について、順に説明する。
【００８０】
送受信バッファ部１５は、ネットワークを介して移動局２宛てに送られるデータ（または、移動局２からネットワークを介して送られてくるデータ）を一時的に蓄える。送受信バッファは、移動局毎（ユーザ毎）および品質識別指標ＱＣＩ（QoS  Class  Identifier）毎に準備される。ここで、品質識別指標ＱＣＩとは、ネットワークにおいて提供されるサービス品質を示すＱｏＳ（Quality  of  Service）の識別指標を意味する。
【００８１】
移動局分布推定部１６は、第１のセルおよび第２のセルにおける移動局２の分布を推定する移動局分布推定手段を提供するものであり、移動局２それぞれからの上り回線参照信号を複数のアンテナ素子にて受信することによって、各移動局２からの電波の到来角を推定し、該到来角の推定結果を収集することによって、全移動局２に関する到来角の角度分布を推定する。各移動局２の到来角の推定には、相関行列の固有値・固有ベクトルを用いるＭＵＳＩＣ（Multiple  Signal  Classification)法など、本発明に関する分野において一般的な技術を適用する。なお、図１に示したセル３−１（第１のセル）により通信する１台の移動局２−１は、高周波数（第１の周波数）側の３.５ＧＨｚキャリアを、セル３−２（第２のセル）により通信する５台の移動局２−２それぞれは、低周波数（第２の周波数）側の２ＧＨｚキャリアを、それぞれ用いて到来角を推定する。また、角度分布は、キャリア毎に区別することなく推定するものとする。
【００８２】
移動局通信状態測定部１７は、移動局２の通信状態を測定する通信状態測定手段を提供するものであり、移動局２の通信における特徴的な状態として、トラヒックや受信品質などを移動局２毎に測定する。本第２の実施の形態においては、スモールセル基地局１との通信のために、どのセル３と接続しているかを移動局２の通信状態として測定するものとする。各移動局２の接続先のセル３は、基地局無線送受信部１０が通信毎に管理する接続セルの情報から取得することができる。具体的には、ハンドオーバなどのセル再選択の際に、スモールセル基地局１から送信されるＰＣＩ情報（Physical  Cell  ID：電波レベルでセル３を識別する情報）を移動局２が測定・報告してくるので、該ＰＣＩ情報から接続セルを特定することができる。例えば、移動局２−１は、３.５ＧＨｚキャリアのセル３−１に接続し、移動局２−２は、２ＧＨｚキャリアのセル３−２に接続していることを特定することができる。
【００８３】
対象移動局選択部１８は、移動局分布推定部１６にて推定した各移動局２の角度分布と、移動局通信状態測定部１７にて測定した各移動局２の通信状態と、を用いて、２ＧＨｚキャリアしか選択することができない移動局２の分布を特定し、測定タイミングを設定する対象とする移動局２（対象移動局）として選択する。本第２の実施の形態においては、移動局２毎に、到来角と接続先セルとの情報を参照することによって、低周波数（第２の周波数）側である２ＧＨｚキャリアしか選択することができない場所にいる移動局２を特定する。特定した移動局２の情報は、測定タイミングを設定する対象とする対象移動局の情報として、タイミング調整部１１に通知される。タイミング調整部１１は、対象移動局選択部１８から受け取った対象移動局それぞれに関して、無線パラメータ制御部１３が設定する例えばカバレッジの変更周期に関連付けて、カバレッジの変更制御の直後に受信品質の測定を実施するように、測定タイミングを調整する。
【００８４】
つまり、対象移動局選択部１８は、移動局２の分布と移動局２の通信状態とに基づいて、無線パラメータの変更により第２のセルから第１のセルへ接続先セルが変更される可能性があるか否かを判定し、該当する移動局２を対象移動局として選択する対象移動局選択手段を提供するものである。選択された対象移動局は、無線パラメータ制御部１３における無線パラメータの変更により第２のセルから第１のセルへ接続先セルが変更される可能性がある移動局になる。
【００８５】
（第２の実施の形態の動作の説明）
次に、本第２の実施の形態における、測定タイミングの調整に関する動作について、その一例を説明する。なお、移動局２の動作については、第１の実施の形態の図４のフローチャートに示した動作と同様であるので、ここでの重複する説明は省略し、スモールセル基地局１において測定タイミングを調整する動作について、その一例を図８のフローチャートを参照しながら詳細に説明する。図８は、本発明の第２の実施の形態に係る測定タイミングの調整方法の一例を実現するためのスモールセル基地局１における動作手順を示すフローチャートであり、スモールセル基地局１における対象移動局の選択、測定タイミングの設定のみならず、カバレッジ変更の動作についても示している。
【００８６】
図８のフローチャートが起動されると、まず、無線パラメータ制御部１３において、カバレッジ制御のための無線パラメータの変更周期Ｔｒを用いて、現在時刻ｔが、カバレッジ制御のための無線パラメータの変更時刻に達したか否かを判定する（ステップＳ４０１）。変更周期Ｔｒは、第１の実施の形態における図３のステップＳ１０１と同様の手順で、あらかじめ設定されている。
【００８７】
前記変更時刻にまだ達していない場合は（ステップＳ４０１のＮＯ）、図４のフローチャートの動作は終了する。前記変更時刻に達していた場合は（ステップＳ４０１のＹＥＳ）、ステップＳ４０２へ進み、まず、移動局分布推定部１６において、各移動局２の上り回線参照信号の到来角情報を用いて、セル３−１およびセル３−２それぞれを含むカバレッジエリア内の移動局の分布を推定する（ステップＳ４０２）。ステップＳ４０２の動作の一例を、図９（Ａ）に示す。図９は、本発明の第２の実施の形態に係るスモールセル基地局１におけるカバレッジ制御の実施手順の一例を説明するための説明図であり、図９（Ａ）はステップＳ４０２の動作の一例を、図９（Ｂ）はステップＳ４０４の動作の一例を、また、図９（Ｃ）はステップＳ４０７の動作の一例を、それぞれ説明している。
【００８８】
ステップＳ４０２においては、図９（Ａ）に示すように、例えば、スモールセル基地局１から垂直に伸びる垂直軸を基準にして、セル３−１に属する１台の移動局２−１は、３.５ＧＨｚキャリアを用いて、また、セル３−２に属する５台の移動局２−２は、２ＧＨｚキャリアを用いて、それぞれ、鎖線矢印にて示す上り回線参照信号の到来角が測定される。ここで、スモールセル基地局１と各移動局２との間が見通し内に近い環境であればあるほど、周波数によらず、取得した到来角は、各移動局２の地理的な位置を示す角度方向とみなすことができ、セル３−１およびセル３−２を含むカバレッジエリア内の各移動局２の分布を推定することができる。
【００８９】
図８のフローチャートに戻って、次に、移動局通信状態測定部１７において、各移動局２の通信状態を測定する。ここで、前述したように、本第２の実施の形態においては、スモールセル基地局１との通信のために各移動局２がどのセル３と接続しているかを各移動局２の通信状態とみなすことにする。かくのごとき通信状態の測定結果から、２ＧＨｚキャリアのみ選択することが可能な移動局２を特定するために、接続先のセル３としてセル３−２を選択した移動局２−２を抽出する（ステップＳ４０３）。
【００９０】
しかる後、対象移動局選択部１８において、ステップＳ４０２において求めた各移動局２の角度分布と、ステップＳ４０３において取得した各移動局２の通信状態と、を用いて、２ＧＨｚキャリアしか選択することができない少なくとも１台以上の移動局２の群（移動局群）の分布を、カバレッジ制御対象および測定タイミング設定対象の移動局２の候補として特定する（ステップＳ４０４）。ステップＳ４０４の動作の一例を、図９（Ｂ）に示す。
【００９１】
図９（Ｂ）に示すように、接続先のセル３として２ＧＨｚキャリアで通信するセル３−２を選択した５台の移動局２−２について、あらかじめ定めた所定の角度範囲毎に区切って（図９（Ｂ）の例においては、スモールセル基地局１から垂直に伸びる垂直軸から時計方向に２０°ずつ回転する０°〜１９°、２０°〜３９°、…の角度範囲毎に区切って）、ステップＳ４０２において得られた移動局２−２の到来角を基にして、各角度範囲毎に移動局２−２の台数を計上する。
【００９２】
各角度範囲毎に計上された移動局２−２の台数が、当該スモールセル基地局１に接続中の状態にある移動局２の総数（移動局２−１と移動局２−２との合計台数）に対して、あらかじめ定めた所定の割合閾値以上の場合に、該当する角度範囲に属する複数の移動局２−２（図４（Ｂ）においては２０°〜３９°の角度範囲に属する移動局２−２として点線の丸で囲んだ３台の移動局２−２）を同一の移動局群とみなす。なお、本第２の実施の形態においては、カバレッジ制御を実施して、セル３−１、セル３−２の２セル間でできる限り均等に負荷を分散する観点から、前記所定割合を５０％と設定している。
【００９３】
図９（Ｂ）に示す例においては、前述したように、２０°〜３９°の角度範囲に移動局２−２が３台分布しており、かつ、３台は、接続中の移動局２の総数６台の５０％に相当しているので、当該角度範囲に属する３台の移動局２−２を１つの移動局群とみなすことになる。
【００９４】
図８のフローチャートに戻って、次に、対象移動局選択部１８において、ステップＳ４０２からステップＳ４０４までの動作によって、カバレッジ制御対象および測定タイミング設定対象の移動局２の候補として、移動局群の存在が特定されたか否かを判定する（ステップＳ４０５）。特定された移動局群の数が正整数であり、移動局群が存在すると判定された場合は（ステップＳ４０５のＹＥＳ）、ステップＳ４０６に進む。一方、特定された移動局群の数が‘０’であり、移動局群は存在しないと判定された場合は（ステップＳ４０５のＮＯ）、ユーザすなわち移動局２のスループットの改善を図ることができない場合であり、受信品質の測定を行う必要がない場合であるので、図８のフローチャートの動作を終了する。
【００９５】
対象移動局として少なくとも１台以上含む移動局群が存在すると判定された場合は、前述のように、ステップＳ４０６に進み、まず、タイミング調整部１１において、測定タイミングが無線パラメータ制御部１３における無線パラメータの変更タイミングの直後になるように、異周波数セルのセル３−１の受信品質（ＲＳＲＰ）の測定タイミング（測定開始時刻と測定周期Ｔｍ）を設定し、設定した測定タイミングを、測定制御部１２に通知することにより、ステップＳ４０４において品質測定対象となる移動局群（対象移動局）としてセル３−２に接続されている移動局２それぞれに対して通知する（ステップＳ４０６）。なお、異周波数セルのセル３−１の受信品質（ＲＳＲＰ）の測定タイミングの設定通知が送られてきた当該対象移動局においては、第１の実施の形態の場合と同様の仕組みを用いて測定タイミングを設定すれば良い。
【００９６】
しかる後、無線パラメータ制御部１３において、ステップＳ４０４にてカバレッジ制御対象として特定した対象移動局（少なくとも１台以上の移動局群）に向かうように、高周波数側の３.５ＧＨｚキャリアのセル３−１における下り回線参照信号を含む制御信号の送信ビームの指向性を制御することにより、当該移動局群に対するセル３−１のカバレッジを拡大する（ステップＳ４０７）。ここで、３.５ＧＨｚキャリアの送信ビームの指向性の制御には、特定した移動局群の到来角を用いて、ビームの形状（幅やゲイン）を変えずに、送信ビームの指向性のみを制御するステアリングベクトル法を適用する。ステップＳ４０７の動作の一例を、図９（Ｃ）に示す。
【００９７】
図９（Ｃ）に示すように、特定した対象移動局（移動局群）の代表角θに対して３.５ＧＨｚキャリアの送信ビームの指向性を向けるように制御する。ここで、当該代表角θは、特定した対象移動局（移動局群）を構成する各移動局２の到来角の平均値を用いても良いし、特定した対象移動局（移動局群）を構成する各移動局２の到来角の最大角と最小角との中央値を用いても良い。
【００９８】
次に、スモールセル基地局１と移動局２との間における、測定タイミングの設定、無線パラメータの変更および異周波数セルの選択の一連の動作について、図１０のシーケンス図を参照しながら詳細に説明する。図１０は、本発明の第２の実施の形態に係る測定タイミングの調整方法の一例を実現するために、スモールセル基地局１と移動局２との間で送受信されるメッセージの流れを示すシーケンス図である。図１０のシーケンス図に示すメッセージの流れと第１の実施の形態として図５に示したシーケンス図の場合との相違点は、図１０の最初のシーケンスとしてシーケンスＳ５０１の動作が追加された点のみである。図１０のシーケンス図のその他のシーケンス（シーケンスＳ３０１〜シーケンスＳ３０５）の各動作については、図５のシーケンス図の場合と同一であり、図５と同じシーケンス記号を付して、ここでの詳細な説明は割愛する。
【００９９】
図８のフローチャートのステップＳ４０５の判定処理において、カバレッジ制御対象および品質測定タイミング設定対象となる移動局群（対象移動局）が存在していると判定されて、測定タイミング設定の対象移動局が存在する場合には、図１０のシーケンス図における最初のシーケンスとして、まず、無線パラメータの変更を実施することを決定し（シーケンスＳ５０１）、第１の実施の形態における図５のシーケンス図と同様のシーケンスＳ３０１〜シーケンスＳ３０５の動作を行う。一方、品質測定対象となる移動局群（測定対象移動局）が存在しないと判定された場合には、無線パラメータの変更を実施しない。
【０１００】
以上の動作を行うことにより、本第２の実施の形態においては、異周波数セルのセル３−１のカバレッジ変更後に、当該セル３−１のカバレッジに新たに含まれる可能性がある移動局２−２すなわち負荷分散の対象となる可能性がある移動局２−２（対象移動局）のみに対して、異周波数セル（セル３−１）の品質測定を指示し、かつ、品質測定のタイミングとしてカバレッジ変更動作の直後に直ちに実施させるので、第１の実施の形態の場合に比して負荷分散をより確実に実施することができる。
【０１０１】
また、従来技術や第１の実施の形態の場合のように、同一セル内の接続中の全移動局に対して測定タイミングを通知する場合に比べて、本第２の実施の形態においては、対象移動局として特定された一部の接続中の移動局２−２のみに対して測定タイミングを通知するので、該当しないその他の移動局２−２においては、異周波数セル（セル３−１）の品質測定を回避することができ、移動局２−２の消費電力を削減することができる。
【０１０２】
なお、本第２の実施の形態においては、図１０のシーケンス図に示すように、シーケンスＳ５０１の無線パラメータの変更の決定後に、構成変更指示メッセージである「ＲＲＣ（Radio  Resource  Control）  connection  reconfiguration」メッセージを移動局２−２に送付し、実際に、カバレッジを変更した後に異周波数セルの受信品質を測定するように、測定タイミングを指定する場合を説明したが、かかる場合のみに限るものではない。例えば、実際に、カバレッジを変更した後に、構成変更指示メッセージ（「ＲＲＣ（Radio  Resource  Control）  connection  reconfiguration」メッセージ）を送付し、該構成変更指示メッセージとして、直ちに、異周波数セルの受信品質を測定するような測定タイミング（例えばgapOffset＝０など）の指定を行うようにしても良い。
【０１０３】
また、本第２の実施の形態においては、特定された対象移動局（移動局群）が１つのみの場合について説明したが、かかる場合のみに限るものではなく、対象移動局（移動局群）が複数特定される場合もある。測定対象移動局群が複数特定された場合は、例えば、該対象移動局群を構成する移動局数が最大となる１つの対象移動局を、カバレッジ制御および品質測定対象の移動局群として選択して、選択した移動局群に対して、３．５ＧＨｚキャリアの指向性を制御し、異周波数セルの品質測定タイミングを指示するようにすれば良い。かくのごとく制御することによって、負荷分散を実現するための対象となる移動局２として、１度に、より多くの移動局２を選択することができる。
【０１０４】
また、本第２の実施の形態においては、２ＧＨｚキャリアしか選択することができない移動局２−２の分布のみを用いて対象移動局（移動局群）を特定する場合を説明したが、かかる場合のみに限るものではない。例えば、３．５ＧＨｚキャリアを選択した移動局２−１の分布も用いるようにしても良い。すなわち、３．５ＧＨｚキャリア（セル３−１）を選択した移動局２−１の分布も推定することによって、特定した移動局群に向かうように３．５ＧＨｚキャリアの指向性を変更しても、３．５ＧＨｚキャリアを選択した移動局２−１が、継続して、３．５ＧＨｚキャリアを選択することができるか否かを判定することができる。
【０１０５】
例えば、図９（Ｃ）に示したように、２ＧＨｚキャリアの移動局群と３．５ＧＨｚキャリアの移動局とが、ほぼ同一の角度分布に存在していれば、３.５ＧＨｚキャリアの送信ビームの指向性を変更しても、３.５ＧＨｚキャリアの移動局２−１の接続先セルに対する影響はないので、２ＧＨｚキャリアの当該移動局群に向かうように３.５ＧＨｚキャリアの送信ビームの指向性を変更することができるものと判断することができる。
【０１０６】
＜本発明の第３の実施の形態＞
次に、本発明を適用した測定タイミング調整方法の第３の実施の形態について、図面を参照しながら詳細に説明する。本第３の実施の形態に係る無線通信システムの構成およびスモールセル基地局１、移動局２の内部構成については、第２の実施の形態として示した図１、図７の場合と同一のシステム構成、内部構成であるので、ここでの説明は省略する。ただし、本第３の実施の形態に係る無線通信システムにおける測定タイミング調整方法の動作の一部が、第２の実施の形態として示した図８のフローチャートの場合とは異なっている。
【０１０７】
すなわち、本第３の実施の形態に係る無線通信システムにおける測定タイミング調整方法においては、第２の実施の形態の場合と同様に、セル３−１のカバレッジ変更後に、セル３−１のカバレッジに新たに含まれることになる可能性がある移動局２−２についてのみ測定タイミングを指定する場合を説明するが、本第３の実施の形態においては、第２の実施の形態の場合に対して次の要件を新たに追加している。
【０１０８】
つまり、本第３の実施の形態において新たに追加した要件として、セル３−１とセル３−２との間のトラヒック負荷を考慮して、トラヒック負荷が均衡化するように、カバレッジの制御対象および測定タイミングの設定対象の対象移動局を選択することにする。該トラヒック負荷としては、本第３の実施の形態においては、各移動局２の送信バッファサイズを用いることとする。ここで、送信バッファサイズとは、移動局２とアプリケーションサーバとの間の通信において、途中に介在するスモールセル基地局１の装置内に備えられたバッファに滞留する送信データ量を意味している。かかる送信バッファサイズを用いることによって、移動局２当たりのトラヒック負荷に応じた制御を実現することができる。
【０１０９】
（第３の実施の形態の動作の説明）
次に、本第３の実施の形態における、測定タイミングの調整に関する動作について、その一例を説明する。なお、移動局２の動作については、第１の実施の形態の図４のフローチャートに示した動作と同様であるので、ここでの重複する説明は省略し、スモールセル基地局１において測定タイミングを調整する動作について、その一例を図１１のフローチャートを参照しながら詳細に説明する。図１１は、本発明の第３の実施の形態に係る測定タイミングの調整方法の一例を実現するためのスモールセル基地局１における動作手順を示すフローチャートであり、スモールセル基地局１における対象移動局の選択、測定タイミングの設定のみならず、カバレッジ変更の動作についても示している。
【０１１０】
図１１のフローチャートに示す測定タイミングの調整方法と図８の場合との相違点は、図８のステップＳ４０３とステップＳ４０４とに記載した各移動局２の通信状態の測定と対象移動局の選択とに関する動作が、ステップＳ６０１とステップＳ６０２との動作に置き換わり、かつ、ステップＳ６０２の次のステップとしてステップＳ６０３の動作が新たに追加された点である。図１１のフローチャートのその他のステップ（ステップＳ４０１、ステップＳ４０２、ステップＳ４０５〜ステップＳ４０７）の各動作については、図８のフローチャートの場合と同一であり、図８と同じステップ記号を付して、ここでの詳細な説明は割愛する。
【０１１１】
図１１のフローチャートにおいて、カバレッジ制御のための無線パラメータの変更時刻に達し（ステップＳ４０１のＹＥＳ）、セル３−１およびセル３−２を含むカバレッジエリア内の移動局の分布の推定（ステップＳ４０２）が終了すると、本第３の実施の形態において置き換わったステップＳ６０１に進み、移動局通信状態測定部１７において、各移動局２の通信状態を測定する。ここで、各移動局２の通信状態として、スモールセル基地局１との通信のために各移動局２が接続したセル３の情報を用いることに加えて、各移動局２の送信バッファサイズに関する情報も用いている。
【０１１２】
ステップＳ６０１においては、移動局通信状態測定部１７において、各移動局２の通信状態として、スモールセル基地局１との通信のために各移動局２がどのセル３と接続しているかを調べるとともに、さらに、各移動局２宛ての送信バッファサイズがあらかじめ定めた所定のサイズ閾値以上となる状態にあるか否かを測定する。ここで、送信バッファサイズは、送受信バッファ部１５に蓄えられているデータ量を測定することによって取得することができる。各移動局２の通信状態の測定結果に基づいて、２ＧＨｚキャリアのみ選択することが可能であり、かつ、トラヒック負荷があらかじめ定めた負荷閾値以上に高い、移動局２を特定するために、接続先のセル３として低周波数（第２の周波数）側の２ＧＨｚキャリアのセル３−２（第２のセル）を選択した移動局２−２であって、かつ、送受信バッファ部１５に蓄えられているデータ量が前記サイズ閾値以上に多い移動局２−２を抽出する（ステップＳ６０１）。
【０１１３】
しかる後、ステップＳ６０２に進み、対象移動局選択部１８において、図８のステップＳ４０４の場合と同様にして、ステップＳ４０２において求めた各移動局２の角度分布と、ステップＳ６０１において取得した各移動局２の通信状態と、を用いて、２ＧＨｚキャリアしか選択することができなく、かつ、トラヒック負荷の高い（本第３の実施の形態においては、送信バッファサイズが前記サイズ閾値以上に大きい）状態にある、少なくとも１台以上の移動局２の群（移動局群）の分布を、カバレッジ制御対象および測定タイミング設定対象の移動局２の候補（対象移動局の候補）として特定する（ステップＳ６０２）。対象移動局の候補が複数存在している場合を考慮して、ステップＳ６０２においては、対象移動局の候補のみを特定するこことし、実際に、カバレッジ制御および測定タイミング設定を実施させる対象移動局は、次のステップＳ６０３において選択する。
【０１１４】
ステップＳ６０２において対象移動局の候補を特定すると、次に、特定された対象移動局の候補の中から、実際に、カバレッジ制御の対象（異周波数セルへのハンドオーバ対象）であり、かつ、異周波数セルの品質測定を行う対象となる対象移動局を選択する（ステップＳ６０３）。
【０１１５】
対象移動局の選択方法としては、まず、セル３−１に接続する全移動局２とセル３−２に接続する全移動局２との送信バッファサイズの合計値を、それぞれ、セル３−１の送信バッファサイズ合計値とセル３−２の送信バッファサイズ合計値として求める。ただし、カバレッジ制御として、移動局２の接続先セルをセル３−２から異周波数セルのセル３−１に変更すると仮定した場合には、当該移動局２の送信バッファサイズをセル３−２の送信バッファサイズ合計値から差し引き、かつ、セル３−１の送信バッファサイズ合計値に加算する。
【０１１６】
次いで、セル３−１の送信バッファサイズ合計値とセル３−２の送信バッファサイズ合計値との差（本第３の実施の形態においては、高負荷になっているセル３−２送信バッファサイズ合計値から低負荷のセル３−１送信バッファサイズ合計値を減算した差分値）が、あらかじめ定めた所定の差分閾値以内となる条件を満たす限り、対象移動局の候補に含まれている各移動局２のうち、送信バッファサイズが大きい移動局２の順に、対象移動局の候補の中から、順番に、実際にカバレッジ制御を実施し、かつ、測定タイミングの設定を行う対象移動局として移動局２を選択する。
【０１１７】
以上の動作を行うことにより、本第３の実施の形態においては、異周波数セルのセル３−１のカバレッジの変更後に、当該セル３−１のカバレッジに新たに含まれることになる可能性がある移動局２−２すなわち負荷分散の対象となる移動局２−２として、トラヒック負荷の高い移動局２−２を優先して、異周波数セル（セル３−１）の品質測定を、カバレッジ変更動作の直後に直ちに実施させることになるので、第１の実施の形態の場合に比して負荷分散をより確実に実施することができる。また、対象移動局の候補の中から対象移動局を選択して、異周波数セルの品質測定を行う移動局２を絞り込んでいるので、対象移動局に該当しないその他の移動局２−２においては、異周波数セル（セル３−１）の品質測定を回避することができ、第２の実施の形態の場合以上に、移動局２−２の消費電力を削減することができる。
【０１１８】
なお、本第３の実施の形態においては、トラヒックに関連する通信状態として、送信バッファサイズを用いる場合について説明したが、本発明はかかる場合のみに限るものではない。例えば、無線ネットワークにて提供されるサービス品質を示すＱｏＳ（Quality  of  Service）を用いても良い。ＱｏＳについては、トラヒックのタイプ（real  time、non-real  timeなど）、パケット送信遅延、パケットロス率等の要求品質の観点から優先度が規定されており、該優先度は、ＱＣＩ（ＱｏＳ  Class  Identifier)と称される。かかる場合には、送受信バッファ部１５における送受信バッファは、ＱＣＩ毎にも準備されることになる。
【０１１９】
したがって、カバレッジ制御および品質測定タイミング設定の対象とする移動局群を構成する対象移動局を特定する際に、優先度を示すＱＣＩがあらかじめ定めた所定の優先度レベルよりも高い送信バッファに、送信データが、あらかじめ定めた所定量以上に蓄積されている状態になっている移動局２の通信状態を、トラヒックに関連する制御対象の通信状態と特定することによって、優先度の高い移動局２に対して、３.５ＧＨｚキャリアの送信ビームの指向性を制御し、かつ、異周波数セルの品質測定を実施させることが可能となり、ＱｏＳの要求品質をより確実に満たすことができるようになる。
【０１２０】
かかる場合、対象移動局の候補の中から対象移動局を選択する方法としては、まず、セル３−２に接続される移動局２であって、かつ、優先度を示すＱＣＩがあらかじめ定めた所定の優先度レベル以上となる送信バッファに、送信データがあらかじめ定めた所定量以上蓄積されている移動局２の台数が、あらかじめ定めた所定の台数閾値以下の条件を満たす限り、送信データ量が多い順に、対象移動局の候補の中から、順番に、対象移動局として選択するようにすれば良い。
【０１２１】
＜本発明の第４の実施の形態＞
次に、本発明を適用した測定タイミング調整方法の第４の実施の形態について、図面を参照しながら詳細に説明する。本第４の実施の形態に係る無線通信システムにおいては、第１の実施の形態に係る無線通信システムに対して、各セルのセル負荷を測定する構成要素がさらに追加された構成となっている。そして、各セルのセル負荷を測定した結果、セル間のセル負荷の差が大きい場合には、第１の実施の形態における測定タイミング設定対象の移動局群の特定とカバレッジ制御（３.５ＧＨｚキャリアの送信ビームの指向性制御）と異周波数セルの品質測定（セル３−１の受信品質の測定タイミングの設定）とを実施する。一方、セル間のセル負荷の差が小さければ、測定タイミング設定対象の移動局群が存在する可能性が低いので、移動局群の特定とカバレッジ制御（３.５ＧＨｚキャリアの送信ビームの指向性制御）と異周波数セルの品質測定（セル３−１の受信品質の測定タイミングの設定）との動作を回避する。
【０１２２】
つまり、セル間のセル負荷の差が大きく、３.５ＧＨｚキャリアの送信ビームの指向性制御の必要性が高いときのみ、カバレッジの制御および異周波数セルの品質測定を実施する。なお、本第４の実施の形態において、測定対象とする各セルのセル負荷としては、通信中（接続中）の移動局２の台数（すなわちアクティブ移動局の台数）を用いている。
【０１２３】
（第４の実施の形態の構成例の説明）
本発明の第４の実施の形態に係るスモールセル基地局、移動局を含む無線通信システムのシステム構成は、第１の実施の形態として図１に示したシステム構成と同様であり、無線通信システムにＬＴＥ（Long  Term  Evolution）方式を適用し、上り回線と下り回線とで、同一周波数で送信時間が異なるＴＤＤ(Time  Division  Duplex)方式を適用している。
【０１２４】
次に、本第４の実施の形態におけるスモールセル基地局１および移動局２の内部構成について図１２を参照しながら詳細に説明する。図１２は、本発明の第４の実施の形態に係るスモールセル基地局１および移動局２の内部構成の一例を示すブロック図である。なお、図１に示した移動局２−１と移動局２−２との内部構成は同一であり、図１２には、移動局２として内部構成の一例を示している。図１２のブロック構成における第１の実施形態の図２との相違点は、各セル３のセル負荷を取得するために、図１２に示すスモールセル基地局１が、図２のスモールセル基地局１と同様の各部位の他に、さらに、送受信バッファ部１５とセル負荷測定部１９とを追加して備えた構成になっている点である。
【０１２５】
図１２のブロック構成図のその他の構成要素（スモールセル基地局１の基地局無線送受信部１０、タイミング調整部１１、測定制御部１２、無線パラメータ制御部１３およびセル選択部１４の各部位、移動局２の移動局無線送受信部２０、チャネル品質測定部２１およびチャネル品質報告部２２の各部位）については、図２のブロック構成の場合と同一であり、図２と同じ参照符号を付して、ここでの詳細な説明は割愛する。また、送受信バッファ部１５については、第３の実施の形態の図７の送受信バッファ部１５と同一であり、同様に、図７と同じ参照符号を付して、ここでの詳細な説明は割愛する。以下、図１２のブロック構成図において、本第４の実施の形態に特有の構成要素としてスモールセル基地局１に追加して備えられているセル負荷測定部１９について説明する。
【０１２６】
セル負荷測定部１９は、各セル３のセル負荷として、各セル３に接続しているアクティブ移動局の台数を測定する。測定したセル負荷は、スモールセル基地局１内の無線パラメータ制御部１３に通知される。
【０１２７】
（第４の実施の形態の動作の説明）
次に、本第４の実施の形態における、スモールセル基地局１のカバレッジ制御動作について、その一例を図１３のフローチャートを参照しながら詳細に説明する。図１３は、本発明の第４の実施の形態に係る測定タイミングの調整方法の一例を実現するためのスモールセル基地局１における動作手順を示すフローチャートであり、スモールセル基地局１における測定タイミングの設定のみならず、カバレッジ変更の動作についても示している。
【０１２８】
図１３のフローチャートが起動されると、まず、無線パラメータ制御部１３において、カバレッジ制御のための無線パラメータの変更周期Ｔｒを用いて、現在時刻ｔが、カバレッジ制御のための無線パラメータの変更時刻に達したか否かを判定する（ステップＳ７０１）。変更周期Ｔｒは、第１の実施の形態における図３のステップＳ１０１と同様な手順で、無線パラメータ制御部１３の無線パラメータの一つとして、あらかじめ設定されている。
【０１２９】
前記変更時刻にまだ達していない場合は（ステップＳ７０１のＮＯ）、図１３のフローチャートの動作は終了する。前記変更時刻に達していた場合は（ステップＳ７０１のＹＥＳ）、ステップＳ７０２へ進み、無線パラメータ制御部１３において、まず、セル負荷測定部１９にて測定されたセル３−１とセル３−２とのセル負荷を比較する（ステップＳ７０２）。セル３−１のセル負荷が、セル３−２のセル負荷に対してさらにあらかじめ定めた所定の差分閾値Ａを加算した値よりも小さい場合、すなわち、セル３−１のセル負荷が、セル３−２のセル負荷に比してあらかじめ定めた所定の差分閾値Ａよりも小さい場合（ステップＳ７０２のＹＥＳ）、セル３−２のセル負荷がセル３−１のセル負荷に比して相対的に大きいとみなされて、カバレッジの制御を実施するために、ステップＳ７０３に進む。
【０１３０】
一方、セル３−１のセル負荷が、セル３−２のセル負荷にあらかじめ定めた所定の差分閾値Ａを加算した値以上に大きい場合は（ステップＳ７０２のＮＯ）、セル３−２のセル負荷がセル３−１のセル負荷に比して相対的に小さく、カバレッジ制御の対象となる移動局群が存在する可能性が低いので、図９のフローチャートの動作を終了する。
【０１３１】
ステップＳ７０３に進むと、タイミング調整部１１において、無線パラメータ制御部１３における無線パラメータの変更タイミングの直後になるように、異周波数セルのセル３−１の受信品質（ＲＳＲＰ）の測定タイミング（測定開始時刻と測定周期Ｔｍ）を設定し、設定した測定タイミングを、測定制御部１２に通知することにより、移動局２それぞれに対して通知する（ステップＳ７０３）。なお、異周波数セルのセル３−１の受信品質（ＲＳＲＰ）の測定タイミングの設定通知が送られてきた移動局２においては、第１の実施の形態の場合と同様の仕組みを用いて測定タイミングを設定すれば良い。
【０１３２】
しかる後、無線パラメータ制御部１３において、セル３−２に接続されている移動局２のうち特定の移動局群（対象移動局）に向かうように、３．５ＧＨｚキャリアのセル３−１における下り回線参照信号を含む制御信号の送信ビームの指向性を制御することにより、当該移動局群に対するセル３−１のカバレッジを拡大する（ステップＳ７０４）。ここで、３.５ＧＨｚキャリアの送信ビームの指向性の制御には、特定した移動局群の到来角を用いて、ビームの形状（幅やゲイン）を変えずに、送信ビームの指向性のみを制御するステアリングベクトル法を適用すれば良い。
【０１３３】
以上の動作を行うことにより、本第４の実施の形態においては、高周波数（第１の周波数）側の３.５ＧＨｚキャリアを用いるセル３−１（第１のセル）と低周波数（第２の周波数）側の２ＧＨｚキャリアを用いるセル３−２（第２のセル）との間で、セル負荷に大きな偏りが生じている場合には、負荷分散を行って、該偏りを是正するように、測定タイミングの設定（異周波数セルの品質測定）やカバレッジ制御を実施する。したがって、負荷分散が必要な場合にのみ、測定タイミングの設定やカバレッジ制御が実施されるので、異周波数セルの品質測定やカバレッジ制御の処理負荷を軽減しながら、スループットを確実に改善することができるという付加的な効果を得ることができる。
【０１３４】
なお、本第４の実施の形態においては、セル負荷として、アクティブ移動局の台数を用いる場合について説明したが、本発明におけるセル負荷については、かかる場合のみに限るものではない。例えば、セル負荷として、アクティブ移動局の台数、セル３の周波数毎の帯域幅の違いを考慮した周波数帯域当たりのアクティブ移動局の台数、周波数リソースのリソース使用率、各セル３内の移動局２すなわち各アクティブ移動局宛ての送信バッファサイズの合計値などのうち、いずれか１ないし複数を用いても良い。
【０１３５】
＜本発明のその他の実施の形態＞
次に、本発明を適用したカバレッジ制御方法のその他の実施の形態について説明する。前述した第２の実施の形態、第３の実施の形態においては、スモールセル基地局１が各移動局２の分布を推定するために、移動局分布推定部１６において上り回線参照信号の到来角を測定する場合について説明したが、本発明における移動局分布推定動作は、かかる場合のみに限るものではない。
【０１３６】
例えば、各移動局２が、下り回線参照信号の到来角度毎の受信品質を測定して、測定した受信品質に関する情報を、プリコーディングウェイト情報（ＰＭＩ：Precoding  Matrix  Indicator）として、スモールセル基地局１の移動局分布推定部１６に報告させるようにしても良い。上り回線参照信号の到来角の場合は、下り回線と上り回線とで同一の周波数を用いるＴＤＤ方式の場合に適しているのに対して、プリコーディングウェイト情報ＰＭＩとして移動局２側から報告する場合は、スモールセル基地局１から各移動局２へのフィードバック遅延が生じるものの、ＴＤＤ方式の場合のみに限らず、下り回線と上り回線とで異なる周波数を用いるＦＤＤ（Frequency  Division  Duplex)方式の場合であっても適用することができる。
【０１３７】
また、前述した第１の実施の形態から第４の実施の形態までの各実施の形態においては、高周波数（第１の周波数）側の３.５ＧＨｚキャリアのセル３−１の送信ビームの指向性を制御する場合について説明したが、本発明における送信ビームの指向性制御動作は、かかる場合のみに限るものではない。
【０１３８】
例えば、カバレッジの制御動作として、低周波数（第２の周波数）側の２ＧＨｚキャリアのセル３−２の送信ビームの指向性も制御するようにしても良い。かかる場合には、各移動局２−２は、当該移動局２−２が接続中のセル３−２（第２のセル）だけではなく、セル３−１（第１のセル）の受信品質も合わせて測定する。
【０１３９】
測定結果として、セル３−１（第１のセル）の受信品質があらかじめ定めた第１の品質閾値以下、または、セル３−２（第２のセル）の受信品質に対するセル３−１（第１のセル）の受信品質の相対値があらかじめ定めた所定閾値以下の場合には、セル３−１（第１のセル）の３.５ＧＨｚキャリアの送信ビームの指向性を制御しても、当該移動局２−２をカバーすることはできないものと判断して、セル３−２の２ＧＨｚキャリアの送信ビームの指向性を制御することにする。
【０１４０】
かくのごとく、セル３−２の２ＧＨｚキャリアの送信ビームの指向性を制御することによって、該当する移動局２−２の接続先セル３の受信品質を改善することができるので、スループットの改善を期待することができる。
【０１４１】
あるいは、前述した第４の実施の形態におけるセル負荷の判定動作について、セル３−１（第１のセル）の３.５ＧＨｚキャリアではなく、セル３−２（第２のセル）の２ＧＨｚキャリアの送信ビームの指向性を制御する場合のセル負荷を判定する動作を行うために、図１３のステップＳ７０２の不等号を逆向きに変更して、セル３−１（第１のセル）のセル負荷が、セル３−２（第２のセル）のセル負荷に対してあらかじめ定めた所定の差分閾値Ａを加算した値よりも大きいか否かを判定するようにしても良い。セル３−１（第１のセル）のセル負荷が、セル３−２（第２のセル）のセル負荷に対して所定の差分閾値Ａを加算した値よりも大きい場合は、セル３−２（第２のセル）のセル負荷がセル３−１（第１のセル）のセル負荷に比して相対的に小さいので、セル３−２（第２のセル）の２ＧＨｚキャリアの送信ビームの指向性の制御を行っても、その影響を受ける移動局２−２の台数が少なくて済むことになる。
【０１４２】
また、前述した第１の実施の形態から第４の実施の形態までの各実施の形態においては、セル３−１とセル３−２とが異なる周波数を有する同一通信方式の場合について説明したが、本発明におけるセル３−１とセル３−２とは、かかる場合のみに限るものではない。
【０１４３】
例えば、セル３−１とセル３−２とが、互いに異なるＲＡＴ（Radio  Access  Technology）を用いている場合であっても良い。すなわち、セル３−１がＬＴＥ方式を用い、セル３−２が第３世代のＵＭＴＳ（Universal  Mobile  Telecommunications  System)を用いている場合や、セル３−１がWireless  ＬＡＮを用い、セル３−２がＬＴＥを用いている場合などの組み合わせからなっている場合とすることも可能である。ただし、ＲＡＴが異なった場合には、対応する周波数も異なるので、セル３−１とセル３−２との周波数が異なることに変わりはない。
【０１４４】
また、前述した第１の実施の形態から第４の実施の形態までの各実施の形態においては、ＬＴＥ方式の無線通信システムに本発明を適用する場合について説明したが、本発明の適用先となる無線通信方式は、かかる場合のみに限るものではない。
【０１４５】
例えば、ＵＭＴＳ方式の無線通信システムに適用する場合であっても良いし、上り回線と下り回線とで異なる周波数を同時に使用するＦＤＤ方式の無線通信システムや、例えばＷｉＭＡＸ、ＩＥＥＥ８０２.１６m等のＬＴＥ方式とは異なるＴＤＤ方式の無線通信システムに適用する場合であっても良い。
【０１４６】
また、前述した第１の実施の形態から第４の実施の形態までの各実施の形態においては、セル３−１とセル３−２とを、同一のスモールセル基地局１に備えている場合について説明したが、本発明におけるセル構成としては、かかる場合のみに限るものではない。
【０１４７】
例えば、セル３−１とセル３−２とが、互いが有線または無線の回線で接続されている異なる基地局装置のそれぞれに分かれて備えられるように構成しても良い。例えば、セル３−１がフェムトセル基地局に、セル３−２がピコ基地局にそれぞれ備えられる場合や、セル３−１がリモート・レディオ・ヘッド（ＲＲＨ：Remote  Radio  Head）基地局に、セル３−２がマクロ基地局にそれぞれ備えられている場合であっても良い。かかる場合、移動局２の角度分布を推定する際に、移動局２と各基地局との位置情報を用いた３点測量などの方法によって、移動局２の分布を補正すれば良い。あるいは、同一の基地局装置、異なる基地局装置の如何を問わず、第１のセル３−１が第２のセル３−２のカバレッジ内に位置するスモールセルであっても良い。
【０１４８】
＜付記＞
以上に、本発明に係る実施の形態について、詳細に説明したことからも明らかなように、前述の各実施の形態の一部または全部は、以下の各付記のようにも記載することができるが、本発明はかかる場合に限るものではないことは言うまでもない。
【０１４９】
（付記１）第１の周波数をキャリアとして用いる少なくとも１つの第１のセルと、前記第１の周波数とは異なる第２の周波数をキャリアとして用いる少なくとも１つの第２のセルと、基地局装置と、前記第１のセルと前記第２のセルとの少なくとも一方のセルによって通信する移動局と、を少なくとも含んで構成される無線通信システムにおいてセル選択のための測定タイミングを調整する測定タイミング調整方法であって、
前記第１のセルの無線パラメータを変更する無線パラメータ制御ステップと、前記第２のセルによって接続中の前記移動局をセル再選択の対象とする対象移動局として、該対象移動局において測定された前記第１のセルの受信品質を取得する受信品質取得ステップと、前記受信品質取得ステップにおいて取得した前記第１のセルの前記受信品質に基づいて、前記第１のセルを接続先セルとして選択するセル選択ステップと、前記無線パラメータ制御ステップにおける前記無線パラメータを変更するタイミングに関連付けて、前記第１のセルの前記受信品質を測定する測定タイミングを調整して、調整した該測定タイミングを前記対象移動局に通知するタイミング調整ステップと、を少なくとも有している測定タイミング調整方法。
【０１５０】
（付記２）前記無線パラメータ制御ステップにおいて変更する前記第１のセルの前記無線パラメータとして、前記第１のセルにおける下り回線参照信号を含む制御信号の送信ビームの指向性を制御するカバレッジ制御用パラメータが含まれている前記付記１に記載の測定タイミング調整方法。
【０１５１】
（付記３）前記無線パラメータ制御ステップにおいて変更する前記第１のセルの前記無線パラメータとして、前記第１のセルを形成する際の送信電力、アンテナチルト角の少なくとも一方を制御するカバレッジ制御用パラメータが含まれている前記付記１に記載の測定タイミング調整方法。
【０１５２】
（付記４）前記受信品質取得ステップにおいて取得される前記第１のセルの前記受信品質が、下り回線参照信号の受信電力、または、前記下り回線参照信号の受信品質のいずれかである前記付記１ないし３のいずれかに記載の測定タイミング調整方法。
【０１５３】
（付記５）前記セル選択ステップは、少なくとも、前記受信品質取得ステップにおいて取得される前記第１のセルの前記受信品質があらかじめ定めた第１の品質閾値以上であるという条件を満たす場合に、前記第１のセルを接続先セルとして選択する前記付記１ないし４のいずれかに記載の測定タイミング調整方法。
【０１５４】
（付記６）前記タイミング調整ステップは、前記無線パラメータ制御ステップにおいて、前記無線パラメータを変更することを決定したタイミング、または、前記無線パラメータ制御ステップにおいて前記無線パラメータの変更を実施したタイミング、のいずれかをトリガとして、調整した前記測定タイミングを、前記対象移動局に対して通知する前記付記１ないし５のいずれかに記載の測定タイミング調整方法。
【０１５５】
（付記７）前記第１のセルの前記受信品質を測定する前記対象移動局は、前記第２のセルによって接続中の前記移動局のうち、前記無線パラメータ制御ステップにおける前記無線パラメータの変更により前記第２のセルから前記第１のセルへ接続先セルが変更される可能性がある前記移動局である前記付記１ないし６のいずれかに記載の測定タイミング調整方法。
【０１５６】
（付記８）前記第１のセルおよび前記第２のセルにおける前記移動局の分布を推定する移動局分布推定ステップと、前記移動局の通信状態を測定する通信状態測定ステップと、前記移動局分布推定ステップにおいて推定された前記移動局の分布と前記通信状態測定ステップにおいて測定された前記移動局の通信状態とに基づいて、前記無線パラメータの変更により前記第２のセルから前記第１のセルへ接続先セルが変更される可能性があるか否かを判定し、該当する前記移動局を前記対象移動局として選択する対象移動局選択ステップと、をさらに有している前記付記７に記載の測定タイミング調整方法。
【０１５７】
（付記９）前記移動局分布推定ステップは、前記移動局が送信する上り回線参照信号を受信し、前記上り回線参照信号の到来角を測定することによって、各前記移動局が位置する角度分布を推定する前記付記８に記載の測定タイミング調整方法。
【０１５８】
（付記１０）前記移動局分布推定ステップは、前記移動局が測定した下り回線参照信号の角度毎の受信品質情報を取得し、取得した該受信品質情報を用いて、前記移動局の角度分布を推定する前記付記８に記載の測定タイミング調整方法。
【０１５９】
（付記１１）前記通信状態測定ステップは、前記移動局の通信状態として、前記第２のセルによって接続中の前記移動局であるか否かを測定する前記付記８に記載の測定タイミング調整方法。
【０１６０】
（付記１２）前記通信状態測定ステップは、前記移動局の通信状態として、前記第２のセルによって接続中の前記移動局であり、かつ、送信バッファサイズがあらかじめ定めたサイズ閾値以上であるか否かを測定する前記付記８に記載の測定タイミング調整方法。
【０１６１】
（付記１３）前記通信状態測定ステップは、前記移動局の通信状態として、前記第２のセルによって接続中の前記移動局であり、かつ、優先度の高い送信バッファに送信データがあらかじめ定めた所定量以上蓄積中であるか否かを測定する前記付記８に記載の測定タイミング調整方法。
【０１６２】
（付記１４）前記対象移動局選択ステップは、前記第２のセルと接続中の状態にある前記移動局のうち、あらかじめ定めた所定の角度範囲毎に区切った領域内に存在している前記移動局の台数が、接続中の状態にある前記移動局の総数に対するあらかじめ定めた割合閾値以上に達している角度範囲が存在していた場合に、当該角度範囲の領域内に存在している前記移動局を、１つの前記対象移動局の候補として特定して選択する前記付記８ないし１３のいずれかに記載の測定タイミング調整方法。
【０１６３】
（付記１５）前記対象移動局選択ステップは、前記対象移動局の候補に含まれている前記移動局のうち、前記第１のセルによって接続中の前記移動局の送信バッファサイズの合計値と前記第２のセルによって接続中の前記移動局の送信バッファサイズの合計値との差があらかじめ定めた所定の差分閾値以内に収まるという条件を満たす範囲内で、前記送信バッファサイズが大きい順に、前記対象移動局として選択する前記付記１４に記載の測定タイミングの調整方法。
【０１６４】
（付記１６）前記対象移動局選択ステップは、前記対象移動局の候補に含まれている前記移動局のうち、優先度の高い送信バッファに送信データがあらかじめ定めた所定量以上蓄積中である前記移動局の台数が、あらかじめ定めた所定の台数閾値以下に収まるという条件を満たす範囲内で、前記送信データが多い順に、前記対象移動局として選択することを特徴とする前記付記１４に記載の測定タイミングの調整方法。
【０１６５】
（付記１７）前記第１のセルおよび前記第２のセルのセル負荷を測定するセル負荷ステップをさらに備え、前記第１のセルの負荷が前記第２のセルの負荷に対してあらかじめ定めた差分閾値を加算した値よりも低い場合に、前記第１のセルの指向性を制御するための動作を開始する前記付記１ないし１６のいずれかに記載の測定タイミングの調整方法。
【０１６６】
（付記１８）前記セル負荷ステップが測定する前記セル負荷は、収容している前記移動局の台数、周波数帯域当たりの前記移動局の台数、周波数リソースのリソース使用率、セル内の前記移動局の送信バッファサイズの合計値のいずれかである前記付記１７に記載の測定タイミングの調整方法。
【０１６７】
（付記１９）前記第１のセルのカバレッジが、前記第２のセルのカバレッジ以下の大きさである前記付記１ないし１８のいずれかに記載の測定タイミングの調整方法。
【０１６８】
（付記２０）前記移動局は、前記第１のセルと前記第２のセルとの両方のセルで同時に通信することが可能である前記付記１ないし１９に記載の測定タイミングの調整方法。
【０１６９】
（付記２１）第１の周波数をキャリアとして用いる少なくとも１つの第１のセルと、前記第１の周波数とは異なる第２の周波数をキャリアとして用いる少なくとも１つの第２のセルと、基地局装置と、前記第１のセルと前記第２のセルとの少なくとも一方のセルによって通信する移動局と、を少なくとも含んで構成される無線通信システムであって、
前記第１のセルの無線パラメータを変更する無線パラメータ制御手段と、前記第２のセルによって接続中の前記移動局をセル再選択の対象とする対象移動局として、該対象移動局において測定された前記第１のセルの受信品質を取得する受信品質取得手段と、前記受信品質取得手段において取得した前記第１のセルの前記受信品質に基づいて、前記第１のセルを接続先セルとして選択するセル選択手段と、前記無線パラメータ制御手段における前記無線パラメータを変更するタイミングに関連付けて、前記第１のセルの前記受信品質を測定する測定タイミングを調整して、調整した該測定タイミングを前記対象移動局に通知するタイミング調整手段と、を少なくとも備えている無線通信システム。
【０１７０】
（付記２２）前記移動局は、前記第１のセルの前記受信品質を測定する品質測定手段と、周期的に前記受信品質を前記基地局に報告する品質報告手段と、を少なくとも備えている前記付記２１に記載の無線通信システム 。
【０１７１】
（付記２３）前記移動局は、前記第１のセルの前記受信品質を測定する品質測定手段と、前記受信品質があらかじめ定めた第２の品質閾値以上の場合に、前記受信品質を前記基地局に報告する品質報告手段と、を少なくとも備えている前記付記２１に記載の無線通信システム 。
【０１７２】
（付記２４）前記第１のセルと前記第２のセルとのいずれか一方のセルを構成要素として備え、かつ、前記第１のセルと前記第２のセルとのいずれか他方のセルを構成要素として備えて構成されている他の無線通信システムと互いに有線または無線の回線で接続されている前記付記２１ないし２３のいずれかに記載の無線通信システム。
【０１７３】
（付記２５）前記第１のセルと前記第２のセルとのそれぞれの無線アクセス方式（ＲＡＴ：Radio  Access  Technology）が互いに異なっている前記付記２１ないし２４に記載の無線通信システム。
【０１７４】
（付記２６）前記第１のセルと前記第２のセルとの無線アクセス方式として、ＬＴＥ（Long  Term  Evolution）方式、ＵＭＴＳ（Universal  Mobile  Telecommunications  System)方式、Wireless  ＬＡＮ方式、のうちいずれかを用いている前記付記２５に記載の無線通信システム。
【０１７５】
（付記２７）第１の周波数をキャリアとして用いる少なくとも１つの第１のセルと、前記第１の周波数とは異なる第２の周波数をキャリアとして用いる少なくとも１つの第２のセルと、前記第１のセルと前記第２のセルとの少なくとも一方のセルによって通信する移動局と、を少なくとも含んで構成される無線通信システムにおける基地局装置であって、
前記第１のセルの無線パラメータを変更する無線パラメータ制御手段と、前記第２のセルによって接続中の前記移動局をセル再選択の対象とする対象移動局として、該対象移動局において測定された前記第１のセルの受信品質を取得する受信品質取得手段と、前記受信品質取得手段において取得した前記第１のセルの前記受信品質に基づいて、前記第１のセルを接続先セルとして選択するセル選択手段と、前記無線パラメータ制御手段における前記無線パラメータを変更するタイミングに関連付けて、前記第１のセルの前記受信品質を測定する測定タイミングを調整して、調整した該測定タイミングを前記対象移動局に通知するタイミング調整手段と、を少なくとも備えている基地局装置。
【０１７６】
（付記２８）前記第１のセルと前記第２のセルとの一方のセルもしくは双方のセルを構成要素として備えて構成されている前記付記２７に記載の基地局装置。
【０１７７】
（付記２９）前記第１のセルと前記第２のセルとのいずれか一方のセルを構成要素として備え、かつ、前記第１のセルと前記第２のセルとのいずれか他方のセルを構成要素として備えて構成されている他の基地局装置と互いに有線または無線の回線で接続されている前記付記２７に記載の基地局装置。
【０１７８】
（付記３０）第１の周波数をキャリアとして用いる少なくとも１つの第１のセルと、前記第１の周波数とは異なる第２の周波数をキャリアとして用いる少なくとも１つの第２のセルと、基地局装置と、前記第１のセルと前記第２のセルとの少なくとも一方のセルによって通信する移動局と、を少なくとも含んで構成される無線通信システムにおいて前記基地局装置に実装されたコンピュータの制御プログラムとして実行される基地局制御プログラムであって、
前記第１のセルの無線パラメータを変更する無線パラメータ制御処理と、前記第２のセルによって接続中の前記移動局をセル再選択の対象とする対象移動局として、該対象移動局において測定された前記第１のセルの受信品質を取得する受信品質取得処理と、前記受信品質取得処理において取得した前記第１のセルの前記受信品質に基づいて、前記第１のセルを接続先セルとして選択するセル選択処理と、前記無線パラメータ制御処理における前記無線パラメータを変更するタイミングに関連付けて、前記第１のセルの前記受信品質を測定する測定タイミングを調整して、調整した該測定タイミングを前記対象移動局に通知するタイミング調整処理と、を少なくとも有している基地局制御プログラム。
【産業上の利用可能性】
【０１７９】
本発明の活用例は、移動通信において、異なる周波数のセルを有する複数種類の基地局が同じエリアに混在する環境下において実施されるセル選択機能であり、移動局に対するセルのカバレッジを制御する技術として好適に適用することができる。特に、カバーできる周波数が少ない場所に位置する移動局が多い場合に、該移動局に対するキャリアの送信ビームの指向性を制御することにより、該移動局へのセルのカバレッジを拡大し、セルを直ちに選択することにより、スループットを改善させようとする用途に有効である。
【０１８０】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【０１８１】
１      スモールセル基地局
２      移動局
２−１  移動局
２−２  移動局
３      セル
３−１  セル
３−２  セル
１０    基地局無線送受信部
１１    タイミング調整部
１２    測定制御部
１３    無線パラメータ制御部
１４    セル選択部
１５    送受信バッファ部
１６    移動局分布推定部
１７    移動局通信状態測定部
１８    対象移動局選択部
１９    セル負荷測定部
２０    移動局無線送受信部
２１    チャネル品質測定部
２２    チャネル品質報告部
【図１】
2016063243.tif 000004
【図２】
2016063243.tif 000005
【図３】
2016063243.tif 000006
【図４】
2016063243.tif 000007
【図５】
2016063243.tif 000008
【図６】
2016063243.tif 000009
【図７】
2016063243.tif 000010
【図８】
2016063243.tif 000011
【図９】
2016063243.tif 000012
【図１０】
2016063243.tif 000013
【図１１】
2016063243.tif 000014
【図１２】
2016063243.tif 000015
【図１３】
2016063243.tif 000016